(57)【要約】生成されデータエントリシステムへと電子メールで送信されるデータエントリフォームを使用した収集であって、データエントリシステムにおいて通信接続していない状態でデータがデータエントリフォームへと入力されるオフラインデータの収集のための方法、システム、及びコンピュータプログラム製品。データ収集方法は、所要のデータを入力するためのデータエントリフォームを作成するステップと、データエントリフォームを含む電子メールメッセージを生成するステップと、電子メールメッセージを送信するステップと、所要のデータを含む電子メールメッセージを受信するステップと、受信された所要のデータをデータベースに送信するステップと、を含むことを特徴とする。
2004534982.tif 000002
【特許請求の範囲】
【請求項１】
所要のデータを入力するためのデータエントリフォームを作成するステップと、
前記データエントリフォームを含む電子メールメッセージを生成するステップと、
前記電子メールメッセージを送信するステップと、
前記所要のデータを含む電子メールメッセージを受信するステップと、
前記受信された所要のデータをデータベースに送信するステップと、
を含むことを特徴とするデータ収集方法。
【請求項２】
前記データエントリフォームは、データの対話式入力を提供することを特徴とする請求項１記載のデータ収集方法。
【請求項３】
前記データエントリフォームは、標準のまたはプロプライエタリーな文書言語、スクリプト言語、及びプログラミング言語のうちの少なくとも１つを使用して作成されることを特徴とする請求項２記載のデータ収集方法。
【請求項４】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項２記載のデータ収集方法。
【請求項５】
前記データエントリフォームは、通信接続していない状態のデータエントリシステムにおいてデータの対話式入力を提供することを特徴とする請求項１記載のデータ収集方法。
【請求項６】
前記データエントリフォームは、標準のまたはプロプライエタリーな文書言語、スクリプト言語、及びプログラミング言語のうちの少なくとも１つを使用して作成されることを特徴とする請求項５記載のデータ収集方法。
【請求項７】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項６記載のデータ収集方法。
【請求項８】
収集対象のデータを定義するデータセットを作成するステップと、
前記データ収集方法の参加者を選択するステップとを更に含むことを特徴とする請求項１記載のデータ収集方法。
【請求項９】
前記データエントリフォーム作成ステップは、
前記データ収集方法の前記参加者に対する前記データセットにより定義される所要のデータを入力するためのデータエントリフォームを作成するステップを含むことを特徴とする請求項８記載のデータ収集方法。
【請求項１０】
前記データ収集方法の参加者選択ステップは、
前記データ収集方法の複数の参加者を選択するステップを含むことを特徴とする請求項８記載のデータ収集方法。
【請求項１１】
前記データエントリフォーム作成ステップは、
前記データ収集方法の各参加者に対する前記データセットにより定義される所要のデータを入力するためのデータエントリフォームを作成するステップを含むことを特徴とする請求項１０記載のデータ収集方法。
【請求項１２】
前記データエントリフォームを含む電子メールメッセージの生成ステップは、
前記データ収集方法の各参加者に対して前記データエントリフォームを含む電子メールメッセージを生成するステップを含むことを特徴とする請求項１１記載のデータ収集方法。
【請求項１３】
前記電子メールメッセージ送信ステップは、
前記データ収集方法の各参加者にデータエントリフォームを送信するステップを含むことを特徴とする請求項１２記載のデータ収集方法。
【請求項１４】
前記所要のデータを含む電子メールメッセージの受信ステップは、
前記データ収集方法の各参加者に対する前記所要のデータを含む電子メールメッセージを受信するステップを含むことを特徴とする請求項１３記載のデータ収集方法。
【請求項１５】
各データエントリフォームは、データの対話式入力を提供することを特徴とする請求項１４記載のデータ収集方法。
【請求項１６】
各データエントリフォームは、標準のまたはプロプライエタリーな文書言語、スクリプト言語、及びプログラミング言語のうちの少なくとも１つを使用して作成されることを特徴とする請求項１５記載のデータ収集方法。
【請求項１７】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項１５記載のデータ収集方法。
【請求項１８】
各データエントリフォームは、データエントリシステムが通信接続していない状態で、前記データエントリシステムにおいてデータの対話式入力を提供することを特徴とする請求項１４記載のデータ収集方法。
【請求項１９】
各データエントリフォームは、標準のまたはプロプライエタリーな文書言語、スクリプト言語、及びプログラミング言語のうちの少なくとも１つを使用して作成されることを特徴とする請求項１８記載のデータ収集方法。
【請求項２０】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項１８記載のデータ収集方法。
【請求項２１】
データエントリシステムにおけるデータ収集方法において、
データを要求するデータエントリフォームを含む電子メールメッセージを受信するステップと、
前記電子メールメッセージから前記データエントリフォームを抽出するステップと、
前記所要のデータを前記データエントリフォームへと対話式で入力するステップと、
前記入力されたデータを含む電子メールメッセージを送信するステップと、
を含むことを特徴とするデータ収集方法。
【請求項２２】
前記データエントリフォームを表示するステップを更に含むことを特徴とする請求項２１記載のデータ収集方法。
【請求項２３】
前記データエントリフォームは、標準のまたはプロプライエタリーな文書言語、スクリプト言語、及びプログラミング言語のうちの少なくとも１つを使用して作成されることを特徴とする請求項２２記載のデータ収集方法。
【請求項２４】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項２２記載のデータ収集方法。
【請求項２５】
ブラウザプログラムを使用して前記データエントリフォームを表示するステップを更に含むことを特徴とする請求項２１記載のデータ収集方法。
【請求項２６】
前記データエントリフォームは、標準のまたはプロプライエタリーな文書言語、スクリプト言語、及びプログラミング言語のうちの少なくとも１つを使用して作成されることを特徴とする請求項２５記載のデータ収集方法。
【請求項２７】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項２５記載のデータ収集方法。
【請求項２８】
前記所要のデータを対話式でデータエントリフォームへと入力するステップは、
前記データエントリシステムが通信接続していない状態で前記所要のデータを前記データエントリフォームへと対話式で入力するステップを含むことを特徴とする請求項２１記載のデータ収集方法。
【請求項２９】
前記データエントリフォームを表示するステップを更に含むことを特徴とする請求項２８記載のデータ収集方法。
【請求項３０】
前記データエントリフォームは、標準のまたはプロプライエタリーな文書言語、スクリプト言語、及びプログラミング言語のうちの少なくとも１つを使用して作成されることを特徴とする請求項２９記載のデータ収集方法。
【請求項３１】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項２９記載のデータ収集方法。
【請求項３２】
ブラウザプログラムを使用して前記データエントリフォームを表示するステップを更に含むことを特徴とする請求項２８記載のデータ収集方法。
【請求項３３】
前記データエントリフォームは、標準のまたはプロプライエタリーな文書言語、スクリプト言語、及びプログラミング言語のうちの少なくとも１つを使用して作成されることを特徴とする請求項３２記載のデータ収集方法。
【請求項３４】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項３２記載のデータ収集方法。
【請求項３５】
ジョブモデルにより定義されるポジションに関連付けられる能力の記述の共同作成のための方法において、
潜在的な参加者及び利用可能なジョブモデルに関連する情報を含む人員一覧を作成するステップと、
参加者及びジョブモデルを選択するステップと、
前記選択されたジョブモデルに基づいて所要のデータを入力するためのデータエントリフォームを作成するステップと、
前記データエントリフォームを含む電子メールメッセージを生成するステップと、
前記電子メールメッセージを送信するステップと、
前記所要のデータを含む電子メールメッセージを受信するステップと、
前記受信された所要のデータをデータベースに送信するステップと、
を含むことを特徴とする方法。
【請求項３６】
前記データエントリフォームは、データの対話式入力を提供することを特徴とする請求項３５記載の方法。
【請求項３７】
前記データエントリフォームは、標準のまたはプロプライエタリーな文書言語、スクリプト言語、及びプログラミング言語のうちの少なくとも１つを使用して作成されることを特徴とする請求項３６記載の方法。
【請求項３８】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項３６記載の方法。
【請求項３９】
前記データエントリフォームは、通信接続していない状態のデータエントリシステムにおいてデータの対話式入力を提供することを特徴とする請求項３５記載の方法。
【請求項４０】
前記データエントリフォームは、標準のまたはプロプライエタリーな文書言語、スクリプト言語、及びプログラミング言語のうちの少なくとも１つを使用して作成されることを特徴とする請求項３９記載の方法。
【請求項４１】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項４０記載の方法。
【請求項４２】
前記データエントリフォーム作成ステップは、
前記データ収集方法の前記参加者に対する前記データセットにより定義される所要のデータを入力するためのデータエントリフォームを作成するステップを含むことを特徴とする請求項３５記載の方法。
【請求項４３】
前記参加者選択ステップは、
前記データ収集方法の複数の参加者を選択するステップを含むことを特徴とする請求項４２記載の方法。
【請求項４４】
前記データエントリフォーム作成ステップは、
前記データ収集方法の各参加者に対する前記データセットにより定義される所要のデータを入力するためのデータエントリフォームを作成するステップを含むことを特徴とする請求項４３記載の方法。
【請求項４５】
前記データエントリフォームを含む電子メールメッセージの生成ステップは、
前記データ収集方法の各参加者に対して前記データエントリフォームを含む電子メールメッセージを生成するステップを含むことを特徴とする請求項４４記載の方法。
【請求項４６】
前記電子メールメッセージ送信ステップは、
前記データ収集方法の各参加者にデータエントリフォームを送信するステップを含むことを特徴とする請求項４５記載の方法。
【請求項４７】
前記所要のデータを含む電子メールメッセージの受信ステップは、
前記データ収集方法の各参加者に対する前記所要のデータを含む電子メールメッセージを受信するステップを含むことを特徴とする請求項４６記載の方法。
【請求項４８】
各データエントリフォームは、データの対話式入力を提供することを特徴とする請求項４７記載の方法。
【請求項４９】
各データエントリフォームは、標準のまたはプロプライエタリーな文書言語、スクリプト言語、及びプログラミング言語のうちの少なくとも１つを使用して作成されることを特徴とする請求項４８記載の方法。
【請求項５０】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項４８記載の方法。
【請求項５１】
各データエントリフォームは、前記データエントリシステムが通信接続していない状態で、前記データエントリシステムにおいてデータの対話式入力を提供することを特徴とする請求項４７記載の方法。
【請求項５２】
各データエントリフォームは、標準のまたはプロプライエタリーな文書言語、スクリプト言語、及びプログラミング言語のうちの少なくとも１つを使用して作成されることを特徴とする請求項５１記載の方法。
【請求項５３】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項５１記載の方法。
【請求項５４】
ジョブ志願者面接評価の作成のための方法において、
組織内のポジションに関連する資格及び技能を定義する複数の能力を含むジョブモデルを作成するステップと、
前記ポジションに対する志願者、評価者、及び面接日時を含む評価セットを選択するステップと、
前記作成されたジョブモデルに基づいて所要のデータを入力するためのデータエントリフォームを作成するステップと、
前記データエントリフォームを含む電子メールメッセージを生成するステップと、
前記電子メールメッセージを送信するステップと、
前記所要のデータを含む電子メールメッセージを受信するステップと、
前記受信された所要のデータをデータベースに送信するステップと、
を含むことを特徴とする方法。
【請求項５５】
前記データエントリフォームは、データの対話式入力を提供することを特徴とする請求項５４記載の方法。
【請求項５６】
前記データエントリフォームは、標準のまたはプロプライエタリーな文書言語、スクリプト言語、及びプログラミング言語のうちの少なくとも１つを使用して作成されることを特徴とする請求項５５記載の方法。
【請求項５７】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項５５記載の方法。
【請求項５８】
前記データエントリフォームは、通信接続していない状態のデータエントリシステムにおいてデータの対話式入力を提供することを特徴とする請求項５４記載の方法。
【請求項５９】
前記データエントリフォームは、標準のまたはプロプライエタリーな文書言語、スクリプト言語、及びプログラミング言語のうちの少なくとも１つを使用して作成されることを特徴とする請求項５８記載の方法。
【請求項６０】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項５９記載の方法。
【請求項６１】
前記データエントリフォーム作成ステップは、
前記データ収集方法の前記参加者に対する前記データセットにより定義される所要のデータを入力するためのデータエントリフォームを作成するステップを含むことを特徴とする請求項５４記載の方法。
【請求項６２】
前記参加者選択ステップは、
前記データ収集方法の複数の参加者を選択するステップを含むことを特徴とする請求項６１記載の方法。
【請求項６３】
前記データエントリフォーム作成ステップは、
前記データ収集方法の各参加者に対する前記データセットにより定義される所要のデータを入力するためのデータエントリフォームを作成するステップを含むことを特徴とする請求項６２記載の方法。
【請求項６４】
前記データエントリフォームを含む電子メールメッセージの生成ステップは、
前記データ収集方法の各参加者に対して前記データエントリフォームを含む電子メールメッセージを生成するステップを含むことを特徴とする請求項６３記載の方法。
【請求項６５】
前記電子メールメッセージ送信ステップは、
前記データ収集方法の各参加者にデータエントリフォームを送信するステップを含むことを特徴とする請求項６４記載の方法。
【請求項６６】
前記所要のデータを含む電子メールメッセージの受信ステップは、
前記データ収集方法の各参加者に対する前記所要のデータを含む電子メールメッセージを受信するステップを含むことを特徴とする請求項６５記載の方法。
【請求項６７】
各データエントリフォームは、データの対話式入力を提供することを特徴とする請求項６６記載の方法。
【請求項６８】
各データエントリフォームは、標準のまたはプロプライエタリーな文書言語、スクリプト言語、及びプログラミング言語のうちの少なくとも１つを使用して作成されることを特徴とする請求項６７記載の方法。
【請求項６９】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項６７記載の方法。
【請求項７０】
各データエントリフォームは、データエントリシステムが通信接続していない状態で、前記データエントリシステムにおいてデータの対話式入力を提供することを特徴とする請求項６６記載の方法。
【請求項７１】
各データエントリフォームは、標準のまたはプロプライエタリーな文書言語、スクリプト言語、及びプログラミング言語のうちの少なくとも１つを使用して作成されることを特徴とする請求項７０記載の方法。
【請求項７２】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項７０記載の方法。
【請求項７３】
能力評価の作成のための方法において、
組織内のポジションに関連する資格及び技能を定義する複数の能力を含むジョブモデルを作成するステップと、
評価対象の人員、評価者、及び評価日時を含む評価セットを選択するステップと、
前記作成されたジョブモデルに基づいて所要のデータを入力するためのデータエントリフォームを作成するステップと、
前記データエントリフォームを含む電子メールメッセージを生成するステップと、
前記電子メールメッセージを送信するステップと、
前記所要のデータを含む電子メールメッセージを受信するステップと、
前記受信された所要のデータをデータベースに送信するステップと、
を含むことを特徴とする方法。
【請求項７４】
前記データエントリフォームは、データの対話式入力を提供することを特徴とする請求項７３記載の方法。
【請求項７５】
前記データエントリフォームは、標準のまたはプロプライエタリーな文書言語、スクリプト言語、及びプログラミング言語のうちの少なくとも１つを使用して作成されることを特徴とする請求項７４記載の方法。
【請求項７６】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項７４記載の方法。
【請求項７７】
前記データエントリフォームは、通信接続していない状態のデータエントリシステムにおいてデータの対話式入力を提供することを特徴とする請求項７３記載の方法。
【請求項７８】
前記データエントリフォームは、標準のまたはプロプライエタリーな文書言語、スクリプト言語、及びプログラミング言語のうちの少なくとも１つを使用して作成されることを特徴とする請求項７７記載の方法。
【請求項７９】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項７８記載の方法。
【請求項８０】
前記データエントリフォーム作成ステップは、
前記データ収集方法の前記参加者に対する前記データセットにより定義される所要のデータを入力するためのデータエントリフォームを作成するステップを含むことを特徴とする請求項７３記載の方法。
【請求項８１】
参加者選択ステップは、
前記データ収集方法の複数の参加者を選択するステップを含むことを特徴とする請求項８０記載の方法。
【請求項８２】
前記データエントリフォーム作成ステップは、
前記データ収集方法の各参加者に対する前記データセットにより定義される所要のデータを入力するためのデータエントリフォームを作成するステップを含むことを特徴とする請求項８１記載の方法。
【請求項８３】
前記データエントリフォームを含む電子メールメッセージの生成ステップは、
前記データ収集方法の各参加者に対して前記データエントリフォームを含む電子メールメッセージを生成するステップを含むことを特徴とする請求項８２記載の方法。
【請求項８４】
前記電子メールメッセージ送信ステップは、
前記データ収集方法の各参加者にデータエントリフォームを送信するステップを含むことを特徴とする請求項８３記載の方法。
【請求項８５】
前記所要のデータを含む電子メールメッセージの受信ステップは、
前記データ収集方法の各参加者に対する前記所要のデータを含む電子メールメッセージを受信するステップを含むことを特徴とする請求項８４記載の方法。
【請求項８６】
各データエントリフォームは、データの対話式入力を提供することを特徴とする請求項８５記載の方法。
【請求項８７】
各データエントリフォームは、標準のまたはプロプライエタリーな文書言語、スクリプト言語、及びプログラミング言語のうちの少なくとも１つを使用して作成されることを特徴とする請求項８６記載の方法。
【請求項８８】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項８６記載の方法。
【請求項８９】
各データエントリフォームは、データエントリシステムが通信接続していない状態で、前記データエントリシステムにおいてデータの対話式入力を提供することを特徴とする請求項８５記載の方法。
【請求項９０】
各データエントリフォームは、標準のまたはプロプライエタリーな文書言語、スクリプト言語、及びプログラミング言語のうちの少なくとも１つを使用して作成されることを特徴とする請求項８９記載の方法。
【請求項９１】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項８９記載の方法。
【請求項９２】
データ収集方法を実現するためのシステムにおいて、
コンピュータプログラム命令を実行するように動作可能なプロセッサと、
前記プロセッサにより実行可能なコンピュータプログラム命令を格納するように動作可能なメモリと、
前記メモリに格納され、
所要のデータを入力するためのデータエントリフォームを作成するステップと、
前記データエントリフォームを含む電子メールメッセージを生成するステップと、
前記電子メールメッセージを送信するステップと、
前記所要のデータを含む電子メールメッセージを受信するステップと、
前記受信された所要のデータをデータベースに送信するステップとを行なうように実行可能なコンピュータプログラム命令とを具備するシステム。
【請求項９３】
前記データエントリフォームは、データの対話式入力を提供することを特徴とする請求項９２記載のシステム。
【請求項９４】
前記データエントリフォームは、標準のまたはプロプライエタリーな文書言語、スクリプト言語、及びプログラミング言語のうちの少なくとも１つを使用して作成されることを特徴とする請求項９３記載のシステム。
【請求項９５】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項９３記載のシステム。
【請求項９６】
前記データエントリフォームは、通信接続していない状態のデータエントリシステムにおいてデータの対話式入力を提供することを特徴とする請求項９２記載のシステム。
【請求項９７】
前記データエントリフォームは、標準のまたはプロプライエタリーな文書言語、スクリプト言語、及びプログラミング言語のうちの少なくとも１つを使用して作成されることを特徴とする請求項９６記載のシステム。
【請求項９８】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項９７記載のシステム。
【請求項９９】
収集対象のデータを定義するデータセットを作成するステップと、
前記データ収集方法の参加者を選択するステップとを更に含むことを特徴とする請求項９２記載のシステム。
【請求項１００】
前記データエントリフォーム作成ステップは、
前記データ収集方法の前記参加者に対する前記データセットにより定義される所要のデータを入力するためのデータエントリフォームを作成するステップを含むことを特徴とする請求項９９記載のシステム。
【請求項１０１】
前記データ収集方法の参加者選択ステップは、
前記データ収集方法の複数の参加者を選択するステップを含むことを特徴とする請求項９９記載のシステム。
【請求項１０２】
前記データエントリフォーム作成ステップは、
前記データ収集方法の各参加者に対する前記データセットにより定義される所要のデータを入力するためのデータエントリフォームを作成するステップを含むことを特徴とする請求項１０１記載のシステム。
【請求項１０３】
前記データエントリフォームを含む電子メールメッセージの生成ステップは、
前記データ収集方法の各参加者に対して前記データエントリフォームを含む電子メールメッセージを生成するステップを含むことを特徴とする請求項１０２記載のシステム。
【請求項１０４】
前記電子メールメッセージ送信ステップは、
前記データ収集方法の各参加者にデータエントリフォームを送信するステップを含むことを特徴とする請求項１０３記載のシステム。
【請求項１０５】
前記所要のデータを含む電子メールメッセージの受信ステップは、
前記データ収集方法の各参加者に対する前記所要のデータを含む電子メールメッセージを受信するステップを含むことを特徴とする請求項１０４記載のシステム。
【請求項１０６】
各データエントリフォームは、データの対話式入力を提供することを特徴とする請求項１０５記載のシステム。
【請求項１０７】
各データエントリフォームは、標準のまたはプロプライエタリーな文書言語、スクリプト言語、及びプログラミング言語のうちの少なくとも１つを使用して作成されることを特徴とする請求項１０６記載のシステム。
【請求項１０８】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項１０７記載のシステム。
【請求項１０９】
各データエントリフォームは、データエントリシステムが通信接続していない状態で、前記データエントリシステムにおいてデータの対話式入力を提供することを特徴とする請求項１０８記載のシステム。
【請求項１１０】
各データエントリフォームは、標準のまたはプロプライエタリーな文書言語、スクリプト言語、及びプログラミング言語のうちの少なくとも１つを使用して作成されることを特徴とする請求項１０９記載のシステム。
【請求項１１１】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項１０９記載のシステム。
【請求項１１２】
データ収集方法を実現するためのデータエントリシステムにおいて、
コンピュータプログラム命令を実行するように動作可能なプロセッサと、
前記プロセッサにより実行可能なコンピュータプログラム命令を格納するように動作可能なメモリと、
前記メモリに格納され、
データを要求するデータエントリフォームを含む電子メールメッセージを受信するステップと、
前記電子メールメッセージから前記データエントリフォームを抽出するステップと、
前記所要のデータを前記データエントリフォームへと対話式で入力するステップと、
前記入力されたデータを含む電子メールメッセージを送信するステップとを行なうように実行可能なコンピュータプログラム命令とを具備するシステム。
【請求項１１３】
前記データエントリフォームを表示するステップを更に含むことを特徴とする請求項１１２記載のシステム。
【請求項１１４】
前記データエントリフォームは、標準のまたはプロプライエタリーな文書言語、スクリプト言語、及びプログラミング言語のうちの少なくとも１つを使用して作成されることを特徴とする請求項１１３記載のシステム。
【請求項１１５】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項１１３記載のシステム。
【請求項１１６】
ブラウザプログラムを使用して前記データエントリフォームを表示するステップを更に含むことを特徴とする請求項１１２記載のシステム。
【請求項１１７】
前記データエントリフォームは、標準のまたはプロプライエタリーな文書言語、スクリプト言語、及びプログラミング言語のうちの少なくとも１つを使用して作成されることを特徴とする請求項１１６記載のシステム。
【請求項１１８】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項１１６記載のシステム。
【請求項１１９】
前記所要のデータを対話式でデータエントリフォームへと入力するステップは、
前記データエントリシステムが通信接続していない状態で前記所要のデータを前記データエントリフォームへと対話式で入力するステップを含むことを特徴とする請求項１１２記載のシステム。
【請求項１２０】
前記データエントリフォームを表示するステップを更に含むことを特徴とする請求項１１９記載のシステム。
【請求項１２１】
前記データエントリフォームは、標準のまたはプロプライエタリーな文書言語、スクリプト言語、及びプログラミング言語のうちの少なくとも１つを使用して作成されることを特徴とする請求項１２０記載のシステム。
【請求項１２２】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項１２０記載のシステム。
【請求項１２３】
ブラウザプログラムを使用して前記データエントリフォームを表示するステップを更に含むことを特徴とする請求項１１９記載のシステム。
【請求項１２４】
前記データエントリフォームは、標準のまたはプロプライエタリーな文書言語、スクリプト言語、及びプログラミング言語のうちの少なくとも１つを使用して作成されることを特徴とする請求項１２３記載のシステム。
【請求項１２５】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項１２３記載のシステム。
【請求項１２６】
ジョブモデルにより定義されるポジションに関連付けられる能力の記述の共同作成のための方法を実現するためのシステムにおいて、
コンピュータプログラム命令を実行するように動作可能なプロセッサと、
前記プロセッサにより実行可能なコンピュータプログラム命令を格納するように動作可能なメモリと、
前記メモリに格納され、
潜在的な参加者及び利用可能なジョブモデルに関連する情報を含む人員一覧を作成するステップと、
参加者及びジョブモデルを選択するステップと、
前記選択されたジョブモデルに基づいて所要のデータを入力するためのデータエントリフォームを作成するステップと、
前記データエントリフォームを含む電子メールメッセージを生成するステップと、
前記電子メールメッセージを送信するステップと、
前記所要のデータを含む電子メールメッセージを受信するステップと、
前記受信された所要のデータをデータベースに送信するステップとを行なうように実行可能なコンピュータプログラム命令とを具備するシステム。
【請求項１２７】
前記データエントリフォームは、データの対話式入力を提供することを特徴とする請求項１２６記載のシステム。
【請求項１２８】
前記データエントリフォームは、標準のまたはプロプライエタリーな文書言語、スクリプト言語、及びプログラミング言語のうちの少なくとも１つを使用して作成されることを特徴とする請求項１２７記載のシステム。
【請求項１２９】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項１２７記載のシステム。
【請求項１３０】
前記データエントリフォームは、通信接続していない状態のデータエントリシステムにおいてデータの対話式入力を提供することを特徴とする請求項１２６記載のシステム。
【請求項１３１】
前記データエントリフォームは、標準のまたはプロプライエタリーな文書言語、スクリプト言語、及びプログラミング言語のうちの少なくとも１つを使用して作成されることを特徴とする請求項１３０記載のシステム。
【請求項１３２】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項１３１記載のシステム。
【請求項１３３】
前記データエントリフォーム作成ステップは、
前記データ収集方法の前記参加者に対する前記データセットにより定義される所要のデータを入力するためのデータエントリフォームを作成するステップを含むことを特徴とする請求項１２６記載のシステム。
【請求項１３４】
前記参加者選択ステップは、
前記データ収集方法の複数の参加者を選択するステップを含むことを特徴とする請求項１３３記載のシステム。
【請求項１３５】
前記データエントリフォーム作成ステップは、
前記データ収集方法の各参加者に対する前記データセットにより定義される所要のデータを入力するためのデータエントリフォームを作成するステップを含むことを特徴とする請求項１３４記載のシステム。
【請求項１３６】
前記データエントリフォームを含む電子メールメッセージの生成ステップは、
前記データ収集方法の各参加者に対して前記データエントリフォームを含む電子メールメッセージを生成するステップを含むことを特徴とする請求項１３５記載のシステム。
【請求項１３７】
前記電子メールメッセージ送信ステップは、
前記データ収集方法の各参加者にデータエントリフォームを送信するステップを含むことを特徴とする請求項１３６記載のシステム。
【請求項１３８】
前記所要のデータを含む電子メールメッセージの受信ステップは、
前記データ収集方法の各参加者に対する前記所要のデータを含む電子メールメッセージを受信するステップを含むことを特徴とする請求項１３７記載のシステム。
【請求項１３９】
各データエントリフォームは、データの対話式入力を提供することを特徴とする請求項１３８記載のシステム。
【請求項１４０】
各データエントリフォームは、標準のまたはプロプライエタリーな文書言語、スクリプト言語、及びプログラミング言語のうちの少なくとも１つを使用して作成されることを特徴とする請求項１３９記載のシステム。
【請求項１４１】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項１３９記載のシステム。
【請求項１４２】
各データエントリフォームは、前記データエントリシステムが通信接続していない状態で、前記データエントリシステムにおいてデータの対話式入力を提供することを特徴とする請求項１３８記載のシステム。
【請求項１４３】
各データエントリフォームは、標準のまたはプロプライエタリーな文書言語、スクリプト言語、及びプログラミング言語のうちの少なくとも１つを使用して作成されることを特徴とする請求項１４２記載のシステム。
【請求項１４４】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項１４２記載のシステム。
【請求項１４５】
ジョブ志願者面接評価の作成のための方法を実現するためのシステムにおいて、
コンピュータプログラム命令を実行するように動作可能なプロセッサと、
前記プロセッサにより実行可能なコンピュータプログラム命令を格納するように動作可能なメモリと、
前記メモリに格納され、
組織内のポジションに関連する資格及び技能を定義する複数の能力を含むジョブモデルを作成するステップと、
前記ポジションに対する志願者、評価者、及び面接日時を含む評価セットを選択するステップと、
前記作成されたジョブモデルに基づいて所要のデータを入力するためのデータエントリフォームを作成するステップと、
前記データエントリフォームを含む電子メールメッセージを生成するステップと、
前記電子メールメッセージを送信するステップと、
前記所要のデータを含む電子メールメッセージを受信するステップと、
前記受信された所要のデータをデータベースに送信するステップとを行なうように実行可能なコンピュータプログラム命令とを具備するシステム。
【請求項１４６】
前記データエントリフォームは、データの対話式入力を提供することを特徴とする請求項１４５記載のシステム。
【請求項１４７】
前記データエントリフォームは、標準のまたはプロプライエタリーな文書言語、スクリプト言語、及びプログラミング言語のうちの少なくとも１つを使用して作成されることを特徴とする請求項１４６記載のシステム。
【請求項１４８】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項１４６記載のシステム。
【請求項１４９】
前記データエントリフォームは、通信接続していない状態のデータエントリシステムにおいてデータの対話式入力を提供することを特徴とする請求項１４５記載のシステム。
【請求項１５０】
前記データエントリフォームは、標準のまたはプロプライエタリーな文書言語、スクリプト言語、及びプログラミング言語のうちの少なくとも１つを使用して作成されることを特徴とする請求項１４９記載のシステム。
【請求項１５１】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項１５０記載のシステム。
【請求項１５２】
前記データエントリフォーム作成ステップは、
前記データ収集方法の前記参加者に対する前記データセットにより定義される所要のデータを入力するためのデータエントリフォームを作成するステップを含むことを特徴とする請求項１４５記載のシステム。
【請求項１５３】
前記参加者選択ステップは、
前記データ収集方法の複数の参加者を選択するステップを含むことを特徴とする請求項１５２記載のシステム。
【請求項１５４】
前記データエントリフォーム作成ステップは、
前記データ収集方法の各参加者に対する前記データセットにより定義される所要のデータを入力するためのデータエントリフォームを作成するステップを含むことを特徴とする請求項１５３記載のシステム。
【請求項１５５】
前記データエントリフォームを含む電子メールメッセージの生成ステップは、
前記データ収集方法の各参加者に対して前記データエントリフォームを含む電子メールメッセージを生成するステップを含むことを特徴とする請求項１５４記載のシステム。
【請求項１５６】
前記電子メールメッセージ送信ステップは、
前記データ収集方法の各参加者にデータエントリフォームを送信するステップを含むことを特徴とする請求項１５５記載のシステム。
【請求項１５７】
前記所要のデータを含む電子メールメッセージの受信ステップは、
前記データ収集方法の各参加者に対する前記所要のデータを含む電子メールメッセージを受信するステップを含むことを特徴とする請求項１５６記載のシステム。
【請求項１５８】
各データエントリフォームは、データの対話式入力を提供することを特徴とする請求項１５７記載のシステム。
【請求項１５９】
各データエントリフォームは、標準のまたはプロプライエタリーな文書言語、スクリプト言語、及びプログラミング言語のうちの少なくとも１つを使用して作成されることを特徴とする請求項１５８記載のシステム。
【請求項１６０】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項１５８記載のシステム。
【請求項１６１】
各データエントリフォームは、データエントリシステムが通信接続していない状態で、前記データエントリシステムにおいてデータの対話式入力を提供することを特徴とする請求項１５７記載のシステム。
【請求項１６２】
各データエントリフォームは、標準のまたはプロプライエタリーな文書言語、スクリプト言語、及びプログラミング言語のうちの少なくとも１つを使用して作成されることを特徴とする請求項１６１記載のシステム。
【請求項１６３】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項１６１記載のシステム。
【請求項１６４】
能力評価の作成のための方法を実現するためのシステムにおいて、
コンピュータプログラム命令を実行するように動作可能なプロセッサと、
前記プロセッサにより実行可能なコンピュータプログラム命令を格納するように動作可能なメモリと、
前記メモリに格納され、
組織内のポジションに関連する資格及び技能を定義する複数の能力を含むジョブモデルを作成するステップと、
評価対象の人員、評価者、及び評価日時を含む評価セットを選択するステップと、
前記作成されたジョブモデルに基づいて所要のデータを入力するためのデータエントリフォームを作成するステップと、
前記データエントリフォームを含む電子メールメッセージを生成するステップと、
前記電子メールメッセージを送信するステップと、
前記所要のデータを含む電子メールメッセージを受信するステップと、
前記受信された所要のデータをデータベースに送信するステップとを行なうように実行可能なコンピュータプログラム命令とを具備するシステム。
【請求項１６５】
前記データエントリフォームは、データの対話式入力を提供することを特徴とする請求項１６４記載のシステム。
【請求項１６６】
前記データエントリフォームは、標準のまたはプロプライエタリーな文書言語、スクリプト言語、及びプログラミング言語のうちの少なくとも１つを使用して作成されることを特徴とする請求項１６５記載のシステム。
【請求項１６７】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項１６５記載のシステム。
【請求項１６８】
前記データエントリフォームは、通信接続していない状態のデータエントリシステムにおいてデータの対話式入力を提供することを特徴とする請求項１６４記載のシステム。
【請求項１６９】
前記データエントリフォームは、標準のまたはプロプライエタリーな文書言語、スクリプト言語、及びプログラミング言語のうちの少なくとも１つを使用して作成されることを特徴とする請求項１６８記載のシステム。
【請求項１７０】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項１６９記載のシステム。
【請求項１７１】
前記データエントリフォーム作成ステップは、
前記データ収集方法の前記参加者に対する前記データセットにより定義される所要のデータを入力するためのデータエントリフォームを作成するステップを含むことを特徴とする請求項１６４記載のシステム。
【請求項１７２】
参加者選択ステップは、
前記データ収集方法の複数の参加者を選択するステップを含むことを特徴とする請求項１７１記載のシステム。
【請求項１７３】
前記データエントリフォーム作成ステップは、
前記データ収集方法の各参加者に対する前記データセットにより定義される所要のデータを入力するためのデータエントリフォームを作成するステップを含むことを特徴とする請求項１７２記載のシステム。
【請求項１７４】
前記データエントリフォームを含む電子メールメッセージの生成ステップは、
前記データ収集方法の各参加者に対して前記データエントリフォームを含む電子メールメッセージを生成するステップを含むことを特徴とする請求項１７３記載のシステム。
【請求項１７５】
前記電子メールメッセージ送信ステップは、
前記データ収集方法の各参加者にデータエントリフォームを送信するステップを含むことを特徴とする請求項１７４記載のシステム。
【請求項１７６】
前記所要のデータを含む電子メールメッセージの受信ステップは、
前記データ収集方法の各参加者に対する前記所要のデータを含む電子メールメッセージを受信するステップを含むことを特徴とする請求項１７５記載のシステム。
【請求項１７７】
各データエントリフォームは、データの対話式入力を提供することを特徴とする請求項１７６記載のシステム。
【請求項１７８】
各データエントリフォームは、標準のまたはプロプライエタリーな文書言語、スクリプト言語、及びプログラミング言語のうちの少なくとも１つを使用して作成されることを特徴とする請求項１７７記載のシステム。
【請求項１７９】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項１７８記載のシステム。
【請求項１８０】
各データエントリフォームは、データエントリシステムが通信接続していない状態で、前記データエントリシステムにおいてデータの対話式入力を提供することを特徴とする請求項１７６記載のシステム。
【請求項１８１】
各データエントリフォームは、標準のまたはプロプライエタリーな文書言語、スクリプト言語、及びプログラミング言語のうちの少なくとも１つを使用して作成されることを特徴とする請求項１８０記載のシステム。
【請求項１８２】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項１８０記載のシステム。
【請求項１８３】
データ収集方法を実行するためのコンピュータプログラム製品において、
コンピュータ可読な媒体と、
前記コンピュータ可読な媒体に記録され、プロセッサにより実行可能であり、
所要のデータを入力するためのデータエントリフォームを作成するステップと、
前記データエントリフォームを含む電子メールメッセージを生成するステップと、
前記電子メールメッセージを送信するステップと、
前記所要のデータを含む電子メールメッセージを受信するステップと、
前記受信された所要のデータをデータベースに送信するステップとを実行するコンピュータプログラム命令とを具備するコンピュータプログラム製品。
【請求項１８４】
前記データエントリフォームは、データの対話式入力を提供することを特徴とする請求項１８３記載のコンピュータプログラム製品。
【請求項１８５】
前記データエントリフォームは、標準のまたはプロプライエタリーな文書言語、スクリプト言語、及びプログラミング言語のうちの少なくとも１つを使用して作成されることを特徴とする請求項１８４記載のコンピュータプログラム製品。
【請求項１８６】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項１８４記載のコンピュータプログラム製品。
【請求項１８７】
前記データエントリフォームは、通信接続していない状態のデータエントリシステムにおいてデータの対話式入力を提供することを特徴とする請求項１８３記載のコンピュータプログラム製品。
【請求項１８８】
前記データエントリフォームは、標準のまたはプロプライエタリーな文書言語、スクリプト言語、及びプログラミング言語のうちの少なくとも１つを使用して作成されることを特徴とする請求項１８７記載のコンピュータプログラム製品。
【請求項１８９】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項１８８記載のコンピュータプログラム製品。
【請求項１９０】
収集対象のデータを定義するデータセットを作成するステップと、
前記データ収集方法の参加者を選択するステップとを更に含むことを特徴とする請求項１８３記載のコンピュータプログラム製品。
【請求項１９１】
前記データエントリフォーム作成ステップは、
前記データ収集方法の前記参加者に対する前記データセットにより定義される所要のデータを入力するためのデータエントリフォームを作成するステップを含むことを特徴とする請求項１９０記載のコンピュータプログラム製品。
【請求項１９２】
前記データ収集方法の参加者選択ステップは、
前記データ収集方法の複数の参加者を選択するステップを含むことを特徴とする請求項１９０記載のコンピュータプログラム製品。
【請求項１９３】
前記データエントリフォーム作成ステップは、
前記データ収集方法の各参加者に対する前記データセットにより定義される所要のデータを入力するためのデータエントリフォームを作成するステップを含むことを特徴とする請求項１９２記載のコンピュータプログラム製品。
【請求項１９４】
前記データエントリフォームを含む電子メールメッセージの生成ステップは、
前記データ収集方法の各参加者に対して前記データエントリフォームを含む電子メールメッセージを生成するステップを含むことを特徴とする請求項１９３記載のコンピュータプログラム製品。
【請求項１９５】
前記電子メールメッセージ送信ステップは、
前記データ収集方法の各参加者にデータエントリフォームを送信するステップを含むことを特徴とする請求項１９４記載のコンピュータプログラム製品。
【請求項１９６】
前記所要のデータを含む電子メールメッセージの受信ステップは、
前記データ収集方法の各参加者に対する前記所要のデータを含む電子メールメッセージを受信するステップを含むことを特徴とする請求項１９５記載のコンピュータプログラム製品。
【請求項１９７】
各データエントリフォームは、データの対話式入力を提供することを特徴とする請求項１９６記載のコンピュータプログラム製品。
【請求項１９８】
各データエントリフォームは、標準のまたはプロプライエタリーな文書言語、スクリプト言語、及びプログラミング言語のうちの少なくとも１つを使用して作成されることを特徴とする請求項１９７記載のコンピュータプログラム製品。
【請求項１９９】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項１９８記載のコンピュータプログラム製品。
【請求項２００】
各データエントリフォームは、データエントリシステムが通信接続していない状態で、前記データエントリシステムにおいてデータの対話式入力を提供することを特徴とする請求項１９９記載のコンピュータプログラム製品。
【請求項２０１】
各データエントリフォームは、標準のまたはプロプライエタリーな文書言語、スクリプト言語、及びプログラミング言語のうちの少なくとも１つを使用して作成されることを特徴とする請求項２００記載のコンピュータプログラム製品。
【請求項２０２】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項２００記載のコンピュータプログラム製品。
【請求項２０３】
データエントリシステムにおけるデータ収集方法を実行するためのコンピュータプログラム製品において、
コンピュータ可読な媒体と、
前記コンピュータ可読な媒体に記録され、プロセッサにより実行可能であり、
データを要求するデータエントリフォームを含む電子メールメッセージを受信するステップと、
前記電子メールメッセージから前記データエントリフォームを抽出するステップと、
前記所要のデータを前記データエントリフォームへと対話式で入力するステップと、
前記入力されたデータを含む電子メールメッセージを送信するステップとを実行するコンピュータプログラム命令とを具備するコンピュータプログラム製品。
【請求項２０４】
前記データエントリフォームを表示するステップを更に含むことを特徴とする請求項２０３記載のコンピュータプログラム製品。
【請求項２０５】
前記データエントリフォームは、標準のまたはプロプライエタリーな文書言語、スクリプト言語、及びプログラミング言語のうちの少なくとも１つを使用して作成されることを特徴とする請求項２０４記載のコンピュータプログラム製品。
【請求項２０６】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項２０４記載のコンピュータプログラム製品。
【請求項２０７】
ブラウザプログラムを使用して前記データエントリフォームを表示するステップを更に含むことを特徴とする請求項２０３記載のコンピュータプログラム製品。
【請求項２０８】
前記データエントリフォームは、標準のまたはプロプライエタリーな文書言語、スクリプト言語、及びプログラミング言語のうちの少なくとも１つを使用して作成されることを特徴とする請求項２０７記載のコンピュータプログラム製品。
【請求項２０９】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項２０７記載のコンピュータプログラム製品。
【請求項２１０】
前記所要のデータを対話式でデータエントリフォームへと入力するステップは、
前記データエントリシステムが通信接続していない状態で前記所要のデータを前記データエントリフォームへと対話式で入力するステップを含むことを特徴とする請求項２０３記載のコンピュータプログラム製品。
【請求項２１１】
前記データエントリフォームを表示するステップを更に含むことを特徴とする請求項２１０記載のコンピュータプログラム製品。
【請求項２１２】
前記データエントリフォームは、標準のまたはプロプライエタリーな文書言語、スクリプト言語、及びプログラミング言語のうちの少なくとも１つを使用して作成されることを特徴とする請求項２１１記載のコンピュータプログラム製品。
【請求項２１３】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項２１１記載のコンピュータプログラム製品。
【請求項２１４】
ブラウザプログラムを使用して前記データエントリフォームを表示するステップを更に含むことを特徴とする請求項２１０記載のコンピュータプログラム製品。
【請求項２１５】
前記データエントリフォームは、標準のまたはプロプライエタリーな文書言語、スクリプト言語、及びプログラミング言語のうちの少なくとも１つを使用して作成されることを特徴とする請求項２１４記載のコンピュータプログラム製品。
【請求項２１６】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項２１４記載のコンピュータプログラム製品。
【請求項２１７】
ジョブモデルにより定義されるポジションに関連付けられる能力の記述の共同作成のための方法を実現するためのコンピュータプログラム製品において、
コンピュータ可読な媒体と、
前記コンピュータ可読な媒体に記録され、プロセッサにより実行可能であり、
潜在的な参加者及び利用可能なジョブモデルに関連する情報を含む人員一覧を作成するステップと、
参加者及びジョブモデルを選択するステップと、
前記選択されたジョブモデルに基づいて所要のデータを入力するためのデータエントリフォームを作成するステップと、
前記データエントリフォームを含む電子メールメッセージを生成するステップと、
前記電子メールメッセージを送信するステップと、
前記所要のデータを含む電子メールメッセージを受信するステップと、
前記受信された所要のデータをデータベースに送信するステップとを実行するコンピュータプログラム命令とを具備するコンピュータプログラム製品。
【請求項２１８】
前記データエントリフォームは、データの対話式入力を提供することを特徴とする請求項２１７記載のコンピュータプログラム製品。
【請求項２１９】
前記データエントリフォームは、標準のまたはプロプライエタリーな文書言語、スクリプト言語、及びプログラミング言語のうちの少なくとも１つを使用して作成されることを特徴とする請求項２１８記載のコンピュータプログラム製品。
【請求項２２０】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項２１８記載のコンピュータプログラム製品。
【請求項２２１】
前記データエントリフォームは、通信接続していない状態のデータエントリシステムにおいてデータの対話式入力を提供することを特徴とする請求項２１７記載のコンピュータプログラム製品。
【請求項２２２】
前記データエントリフォームは、標準のまたはプロプライエタリーな文書言語、スクリプト言語、及びプログラミング言語のうちの少なくとも１つを使用して作成されることを特徴とする請求項２２１記載のコンピュータプログラム製品。
【請求項２２３】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項２２２記載のコンピュータプログラム製品。
【請求項２２４】
前記データエントリフォーム作成ステップは、
前記データ収集方法の前記参加者に対する前記データセットにより定義される所要のデータを入力するためのデータエントリフォームを作成するステップを含むことを特徴とする請求項２１７記載のコンピュータプログラム製品。
【請求項２２５】
前記参加者選択ステップは、
前記データ収集方法の複数の参加者を選択するステップを含むことを特徴とする請求項２２４記載のコンピュータプログラム製品。
【請求項２２６】
前記データエントリフォーム作成ステップは、
前記データ収集方法の各参加者に対する前記データセットにより定義される所要のデータを入力するためのデータエントリフォームを作成するステップを含むことを特徴とする請求項２２５記載のコンピュータプログラム製品。
【請求項２２７】
前記データエントリフォームを含む電子メールメッセージの生成ステップは、
前記データ収集方法の各参加者に対して前記データエントリフォームを含む電子メールメッセージを生成するステップを含むことを特徴とする請求項２２６記載のコンピュータプログラム製品。
【請求項２２８】
前記電子メールメッセージ送信ステップは、
前記データ収集方法の各参加者にデータエントリフォームを送信するステップを含むことを特徴とする請求項２２７記載のコンピュータプログラム製品。
【請求項２２９】
前記所要のデータを含む電子メールメッセージの受信ステップは、
前記データ収集方法の各参加者に対する前記所要のデータを含む電子メールメッセージを受信するステップを含むことを特徴とする請求項２２８記載のコンピュータプログラム製品。
【請求項２３０】
各データエントリフォームは、データの対話式入力を提供することを特徴とする請求項２２９記載のコンピュータプログラム製品。
【請求項２３１】
各データエントリフォームは、標準のまたはプロプライエタリーな文書言語、スクリプト言語、及びプログラミング言語のうちの少なくとも１つを使用して作成されることを特徴とする請求項２３０記載のコンピュータプログラム製品。
【請求項２３２】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項２３０記載のコンピュータプログラム製品。
【請求項２３３】
各データエントリフォームは、前記データエントリシステムが通信接続していない状態で、前記データエントリシステムにおいてデータの対話式入力を提供することを特徴とする請求項２２９記載のコンピュータプログラム製品。
【請求項２３４】
各データエントリフォームは、標準のまたはプロプライエタリーな文書言語、スクリプト言語、及びプログラミング言語のうちの少なくとも１つを使用して作成されることを特徴とする請求項２３３記載のコンピュータプログラム製品。
【請求項２３５】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項２３３記載のコンピュータプログラム製品。
【請求項２３６】
ジョブ志願者面接評価の作成のための方法を実行するためのコンピュータプログラム製品において、
コンピュータ可読な媒体と、
前記コンピュータ可読な媒体に記録され、プロセッサにより実行可能であり、
組織内のポジションに関連する資格及び技能を定義する複数の能力を含むジョブモデルを作成するステップと、
前記ポジションに対する志願者、評価者、及び面接日時を含む評価セットを選択するステップと、
前記作成されたジョブモデルに基づいて所要のデータを入力するためのデータエントリフォームを作成するステップと、
前記データエントリフォームを含む電子メールメッセージを生成するステップと、
前記電子メールメッセージを送信するステップと、
前記所要のデータを含む電子メールメッセージを受信するステップと、
前記受信された所要のデータをデータベースに送信するステップとを実行するコンピュータプログラム命令とを具備するコンピュータプログラム製品。
【請求項２３７】
前記データエントリフォームは、データの対話式入力を提供することを特徴とする請求項２３６記載のコンピュータプログラム製品。
【請求項２３８】
前記データエントリフォームは、標準のまたはプロプライエタリーな文書言語、スクリプト言語、及びプログラミング言語のうちの少なくとも１つを使用して作成されることを特徴とする請求項２３７記載のコンピュータプログラム製品。
【請求項２３９】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項２３７記載のコンピュータプログラム製品。
【請求項２４０】
前記データエントリフォームは、通信接続していない状態のデータエントリシステムにおいてデータの対話式入力を提供することを特徴とする請求項２３６記載のコンピュータプログラム製品。
【請求項２４１】
前記データエントリフォームは、標準のまたはプロプライエタリーな文書言語、スクリプト言語、及びプログラミング言語のうちの少なくとも１つを使用して作成されることを特徴とする請求項２４０記載のコンピュータプログラム製品。
【請求項２４２】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項２４１記載のコンピュータプログラム製品。
【請求項２４３】
前記データエントリフォーム作成ステップは、
前記データ収集方法の前記参加者に対する前記データセットにより定義される所要のデータを入力するためのデータエントリフォームを作成するステップを含むことを特徴とする請求項２３６記載のコンピュータプログラム製品。
【請求項２４４】
前記参加者選択ステップは、
前記データ収集方法の複数の参加者を選択するステップを含むことを特徴とする請求項２４３記載のコンピュータプログラム製品。
【請求項２４５】
前記データエントリフォーム作成ステップは、
前記データ収集方法の各参加者に対する前記データセットにより定義される所要のデータを入力するためのデータエントリフォームを作成するステップを含むことを特徴とする請求項２４４記載のコンピュータプログラム製品。
【請求項２４６】
前記データエントリフォームを含む電子メールメッセージの生成ステップは、
前記データ収集方法の各参加者に対して前記データエントリフォームを含む電子メールメッセージを生成するステップを含むことを特徴とする請求項２４５記載のコンピュータプログラム製品。
【請求項２４７】
前記電子メールメッセージ送信ステップは、
前記データ収集方法の各参加者にデータエントリフォームを送信するステップを含むことを特徴とする請求項２４６記載のコンピュータプログラム製品。
【請求項２４８】
前記所要のデータを含む電子メールメッセージの受信ステップは、
前記データ収集方法の各参加者に対する前記所要のデータを含む電子メールメッセージを受信するステップを含むことを特徴とする請求項２４７記載のコンピュータプログラム製品。
【請求項２４９】
各データエントリフォームは、データの対話式入力を提供することを特徴とする請求項２４８記載のコンピュータプログラム製品。
【請求項２５０】
各データエントリフォームは、標準のまたはプロプライエタリーな文書言語、スクリプト言語、及びプログラミング言語のうちの少なくとも１つを使用して作成されることを特徴とする請求項２４９記載のコンピュータプログラム製品。
【請求項２５１】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項２４９記載のコンピュータプログラム製品。
【請求項２５２】
各データエントリフォームは、データエントリシステムが通信接続していない状態で、前記データエントリシステムにおいてデータの対話式入力を提供することを特徴とする請求項２４８記載のコンピュータプログラム製品。
【請求項２５３】
各データエントリフォームは、標準のまたはプロプライエタリーな文書言語、スクリプト言語、及びプログラミング言語のうちの少なくとも１つを使用して作成されることを特徴とする請求項２５２記載のコンピュータプログラム製品。
【請求項２５４】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項２５２記載のコンピュータプログラム製品。
【請求項２５５】
能力評価の作成のための方法を実行するためのコンピュータプログラム製品において、
コンピュータ可読な媒体と、
前記コンピュータ可読な媒体に記録され、プロセッサにより実行可能であり、
組織内のポジションに関連する資格及び技能を定義する複数の能力を含むジョブモデルを作成するステップと、
評価対象の人員、評価者、及び評価日時を含む評価セットを選択するステップと、
前記作成されたジョブモデルに基づいて所要のデータを入力するためのデータエントリフォームを作成するステップと、
前記データエントリフォームを含む電子メールメッセージを生成するステップと、
前記電子メールメッセージを送信するステップと、
前記所要のデータを含む電子メールメッセージを受信するステップと、
前記受信された所要のデータをデータベースに送信するステップとを実行するコンピュータプログラム命令とを具備するコンピュータプログラム製品。
【請求項２５６】
前記データエントリフォームは、データの対話式入力を提供することを特徴とする請求項２５５記載のコンピュータプログラム製品。
【請求項２５７】
前記データエントリフォームは、標準のまたはプロプライエタリーな文書言語、スクリプト言語、及びプログラミング言語のうちの少なくとも１つを使用して作成されることを特徴とする請求項２５６記載のコンピュータプログラム製品。
【請求項２５８】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項２５６記載のコンピュータプログラム製品。
【請求項２５９】
前記データエントリフォームは、通信接続していない状態のデータエントリシステムにおいてデータの対話式入力を提供することを特徴とする請求項２５５記載のコンピュータプログラム製品。
【請求項２６０】
前記データエントリフォームは、標準のまたはプロプライエタリーな文書言語、スクリプト言語、及びプログラミング言語のうちの少なくとも１つを使用して作成されることを特徴とする請求項２５９記載のコンピュータプログラム製品。
【請求項２６１】
前記データエントリフォームは、ＨＴＭＬ、ＸＭＬ、Ｊａｖａ、及びＪａｖａｓｃｒｉｐｔのうちの少なくとも１つを使用して作成されることを特徴とする請求項２６０記載のコンピュータプログラム製品。
【請求項２６２】
前記データエントリフォーム作成ステップは、
前記データ収集方法の前記参加者に対する前記データセットにより定義される所要のデータを入力するためのデータエントリフォームを作成するステップを含むことを特徴とする請求項２５５記載のコンピュータプログラム製品。
【請求項２６３】
参加者選択ステップは、
前記データ収集方法の複数の参加者を選択するステップを含むことを特徴とする請求項２６２記載のコンピュータプログラム製品。
【請求項２６４】
前記データエントリフォーム作成ステップは、
前記データ収集方法の各参加者に対する前記データセットにより定義される所要のデータを入力するためのデータエントリフォームを作成するステップを含むことを特徴とする請求項２６２記載のコンピュータプログラム製品。
【請求項２６５】
前記データエントリフォームを含む電子メールメッセージの生成ステップは、
前記データ収集方法の各参加者に対して前記データエントリフォームを含む電子メールメッセージを生成するステップを含むことを特徴とする請求項２６４記載のコンピュータプログラム製品。
【請求項２６６】
前記電子メールメッセージ送信ステップは、
前記データ収集方法の各参加者にデータエントリフォームを送信するステップを含むことを特徴とする請求項２６５記載のコンピュータプログラム製品。
【請求項２６７】
前記所要のデータを含む電子メールメッセージの受信ステップは、
前記データ収集方法の各参加者に対する前記所要のデータを含む電子メールメッセージを受信するステップを含むことを特徴とする請求項２６６記載のコンピュータプログラム製品。
【請求項２６８】
各データエントリフォームは、データの対話式入力を提供することを特徴とする請求項２６７記載のコンピュータプログラム製品。
【請求項２６９】
各データエントリフォームは、標準のまたはプロプライエタリーな文書言語、スクリプト言語、及びプログラミング言語のうちの少なくとも１つを使用して作成されることを特徴とする請求項２６８記載のコンピュータプログラム製品。
【請求項２７０】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項２６９記載のコンピュータプログラム製品。
【請求項２７１】
各データエントリフォームは、データエントリシステムが通信接続していない状態で、前記データエントリシステムにおいてデータの対話式入力を提供することを特徴とする請求項２６７記載のコンピュータプログラム製品。
【請求項２７２】
各データエントリフォームは、標準のまたはプロプライエタリーな文書言語、スクリプト言語、及びプログラミング言語のうちの少なくとも１つを使用して作成されることを特徴とする請求項２７１記載のコンピュータプログラム製品。
【請求項２７３】
各データエントリフォームは、ＨＴＭＬ、ＸＭＬ、Ｊａｖａ、及びＪａｖａｓｃｒｉｐｔのうちの少なくとも１つを使用して作成されることを特徴とする請求項２７１記載のコンピュータプログラム製品。
【発明の詳細な説明】
【０００１】
【関連出願の参照】
本出願は、米国特許法第１１９条（ｅ）に基づき、２０００年１１月３０日出願の米国仮特許出願番号第６０／２５０，２３２号の利益を請求する。
【０００２】
【発明の属する技術分野】
本発明は、生成されデータエントリシステムへと電子メールで送信されるデータエントリフォームを使用した収集であって、データエントリシステムにおいて通信接続していない状態でデータがデータエントリフォームへと入力されるオフラインデータの収集に関する。
【０００３】
【従来の技術】
オンラインのデータ収集及びデータ処理は、種々のアプリケーションにおいて生産性を大幅に改善してきた。例えば、多くの重要な業務処理がビジネスアプリケーションソフトウェアを使用して自動化されてきた。これらのアプリケーションが機能するにはデータが必要である。そのようなデータは他のデータ処理システムから自動的に収集されることもあるが、多くのデータは依然として個々のユーザが手作業で収集しなければならない。オンラインデータ収集環境では、ユーザはデータ収集システムに直接又はネットワークを介して接続し、このシステムがユーザの入力したデータを処理する。
【０００４】
【発明が解決しようとする課題】
このようなシステムでは、データ処理システムとオンライン接続し対話型処理を行うことが必要であり、そのことがシステムの携帯性及び柔軟性を制限している。従って、データ処理システムとオンライン接続し対話型処理を行わなくてもよいデータ収集システムが必要とされている。
【０００５】
【課題を解決するための手段】
本発明は、生成されデータエントリシステムへと電子メールで送信されるデータエントリフォームを使用した収集であって、データエントリシステムにおいて通信接続していない状態でデータがデータエントリフォームへと入力されるオフラインデータの収集のための方法、システム、及びコンピュータプログラム製品である。
【０００６】
本発明の一態様では、データ収集方法は、所要のデータを入力するためのデータエントリフォームを作成するステップと、データエントリフォームを含む電子メールメッセージを生成するステップと、電子メールメッセージを送信するステップと、所要のデータを含む電子メールメッセージを受信するステップと、受信された所要のデータをデータベースに送信するステップと、を含むことを特徴とする。
【０００７】
データエントリフォームはデータの対話式入力を提供しても良い。データエントリフォームは、標準のまたはプロプライエタリーな文書言語、スクリプト言語、及びプログラミング言語のうちの少なくとも１つを使用して作成されても良い。データエントリフォームは、ＨＴＭＬ、ＸＭＬ、Ｊａｖａ、及びＪａｖａｓｃｒｉｐｔのうちの少なくとも１つを使用して作成されても良い。
【０００８】
データエントリフォームは、通信接続していない状態のデータエントリシステムにおいてデータの対話式入力を提供しても良い。データエントリフォームは、標準のまたはプロプライエタリーな文書言語、スクリプト言語、及びプログラミング言語のうちの少なくとも１つを使用して作成されても良い。データエントリフォームは、ＨＴＭＬ、ＸＭＬ、Ｊａｖａ、及びＪａｖａｓｃｒｉｐｔのうちの少なくとも１つを使用して作成されても良い。
【０００９】
データ収集方法は、収集対象のデータを定義するデータセットを作成するステップと、データ収集方法の参加者を選択するステップとを更に含んでも良い。データエントリフォーム作成ステップは、データ収集方法の参加者に対するデータセットにより定義される所要のデータを入力するためのデータエントリフォームを作成するステップを含んでも良い。データ収集方法の参加者選択ステップは、データ収集方法の複数の参加者を選択するステップを含んでも良い。データエントリフォーム作成ステップは、データ収集方法の各参加者に対するデータセットにより定義される所要のデータを入力するためのデータエントリフォームを作成するステップを含んでも良い。データエントリフォームを含む電子メールメッセージの生成ステップは、データ収集方法の各参加者に対してデータエントリフォームを含む電子メールメッセージを生成するステップを含んでも良い。電子メールメッセージ送信ステップは、データ収集方法の各参加者にデータエントリフォームを送信するステップを含んでも良い。所要のデータを含む電子メールメッセージの受信ステップは、データ収集方法の各参加者に対する所要のデータを含む電子メールメッセージを受信するステップを含んでも良い。
【００１０】
各データエントリフォームは、データの対話式入力を提供しても良い。各データエントリフォームは、標準のまたはプロプライエタリーな文書言語、スクリプト言語、及びプログラミング言語のうちの少なくとも１つを使用して作成されても良い。各データエントリフォームは、ＨＴＭＬ、ＸＭＬ、Ｊａｖａ、及びＪａｖａｓｃｒｉｐｔのうちの少なくとも１つを使用して作成されても良い。各データエントリフォームは、データエントリシステムが通信接続していない状態で、データエントリシステムにおいてデータの対話式入力を提供しても良い。各データエントリフォームは、標準のまたはプロプライエタリーな文書言語、スクリプト言語、及びプログラミング言語のうちの少なくとも１つを使用して作成されても良い。各データエントリフォームは、ＨＴＭＬ、ＸＭＬ、Ｊａｖａ、及びＪａｖａｓｃｒｉｐｔのうちの少なくとも１つを使用して作成されても良い。
【００１１】
本発明の一態様では、データエントリシステムにおけるデータ収集方法は、データを要求するデータエントリフォームを含む電子メールメッセージを受信するステップと、電子メールメッセージからデータエントリフォームを抽出するステップと、所要のデータをデータエントリフォームへと対話式で入力するステップと、入力されたデータを含む電子メールメッセージを送信するステップと、
を含むことを特徴とする。データ収集方法は、データエントリフォームを表示するステップを更に含んでも良い。データエントリフォームは、標準のまたはプロプライエタリーな文書言語、スクリプト言語、及びプログラミング言語のうちの少なくとも１つを使用して作成されても良い。データエントリフォームは、ＨＴＭＬ、ＸＭＬ、Ｊａｖａ、及びＪａｖａｓｃｒｉｐｔのうちの少なくとも１つを使用して作成されても良い。
【００１２】
データ収集方法は、ブラウザプログラムを使用してデータエントリフォームを表示するステップを更に含んでも良い。データエントリフォームは、標準のまたはプロプライエタリーな文書言語、スクリプト言語、及びプログラミング言語のうちの少なくとも１つを使用して作成されても良い。データエントリフォームは、ＨＴＭＬ、ＸＭＬ、Ｊａｖａ、及びＪａｖａｓｃｒｉｐｔのうちの少なくとも１つを使用して作成されても良い。
【００１３】
所要のデータを対話式でデータエントリフォームへと入力するステップは、データエントリシステムが通信接続していない状態で所要のデータをデータエントリフォームへと対話式で入力するステップを含んでも良い。データ収集方法は、データエントリフォームを表示するステップを更に含んでも良い。データエントリフォームは、標準のまたはプロプライエタリーな文書言語、スクリプト言語、及びプログラミング言語のうちの少なくとも１つを使用して作成されても良い。データエントリフォームは、ＨＴＭＬ、ＸＭＬ、Ｊａｖａ、及びＪａｖａｓｃｒｉｐｔのうちの少なくとも１つを使用して作成されても良い。データ収集方法は、ブラウザプログラムを使用してデータエントリフォームを表示するステップを更に含んでも良い。データエントリフォームは、標準のまたはプロプライエタリーな文書言語、スクリプト言語、及びプログラミング言語のうちの少なくとも１つを使用して作成されても良い。データエントリフォームは、ＨＴＭＬ、ＸＭＬ、Ｊａｖａ、及びＪａｖａｓｃｒｉｐｔのうちの少なくとも１つを使用して作成されても良い。
【００１４】
本発明の一態様では、ジョブモデルにより定義されるポジションに関連付けられる能力の記述の共同作成のための方法は、潜在的な参加者及び利用可能なジョブモデルに関連する情報を含む人員一覧を作成するステップと、参加者及びジョブモデルを選択するステップと、選択されたジョブモデルに基づいて所要のデータを入力するためのデータエントリフォームを作成するステップと、データエントリフォームを含む電子メールメッセージを生成するステップと、電子メールメッセージを送信するステップと、所要のデータを含む電子メールメッセージを受信するステップと、受信された所要のデータをデータベースに送信するステップと、
を含むことを特徴とする。
【００１５】
データエントリフォームは、データの対話式入力を提供しても良い。データエントリフォームは、標準のまたはプロプライエタリーな文書言語、スクリプト言語、及びプログラミング言語のうちの少なくとも１つを使用して作成されても良い。データエントリフォームは、ＨＴＭＬ、ＸＭＬ、Ｊａｖａ、及びＪａｖａｓｃｒｉｐｔのうちの少なくとも１つを使用して作成されても良い。
【００１６】
データエントリフォームは、通信接続していない状態のデータエントリシステムにおいてデータの対話式入力を提供しても良い。データエントリフォームは、標準のまたはプロプライエタリーな文書言語、スクリプト言語、及びプログラミング言語のうちの少なくとも１つを使用して作成されても良い。データエントリフォームは、ＨＴＭＬ、ＸＭＬ、Ｊａｖａ、及びＪａｖａｓｃｒｉｐｔのうちの少なくとも１つを使用して作成されても良い。
【００１７】
データエントリフォーム作成ステップは、データ収集方法の参加者に対するデータセットにより定義される所要のデータを入力するためのデータエントリフォームを作成するステップを含んでも良い。データ収集方法の参加者選択ステップは、データ収集方法の複数の参加者を選択するステップを含んでも良い。データエントリフォーム作成ステップは、データ収集方法の各参加者に対するデータセットにより定義される所要のデータを入力するためのデータエントリフォームを作成するステップを含んでも良い。データエントリフォームを含む電子メールメッセージの生成ステップは、データ収集方法の各参加者に対してデータエントリフォームを含む電子メールメッセージを生成するステップを含んでも良い。電子メールメッセージ送信ステップは、データ収集方法の各参加者にデータエントリフォームを送信するステップを含んでも良い。所要のデータを含む電子メールメッセージの受信ステップは、データ収集方法の各参加者に対する所要のデータを含む電子メールメッセージを受信するステップを含んでも良い。
【００１８】
各データエントリフォームはデータの対話式入力を提供しても良い。各データエントリフォームは、標準のまたはプロプライエタリーな文書言語、スクリプト言語、及びプログラミング言語のうちの少なくとも１つを使用して作成されても良い。各データエントリフォームは、ＨＴＭＬ、ＸＭＬ、Ｊａｖａ、及びＪａｖａｓｃｒｉｐｔのうちの少なくとも１つを使用して作成されても良い。各データエントリフォームは、データエントリシステムが通信接続していない状態で、データエントリシステムにおいてデータの対話式入力を提供しても良い。各データエントリフォームは、標準のまたはプロプライエタリーな文書言語、スクリプト言語、及びプログラミング言語のうちの少なくとも１つを使用して作成されても良い。各データエントリフォームは、ＨＴＭＬ、ＸＭＬ、Ｊａｖａ、及びＪａｖａｓｃｒｉｐｔのうちの少なくとも１つを使用して作成されても良い。
【００１９】
本発明の一態様では、ジョブ志願者面接評価の作成のための方法は、組織内のポジションに関連する資格及び技能を定義する複数の能力を含むジョブモデルを作成するステップと、ポジションに対する志願者、評価者、及び面接日時を含む評価セットを選択するステップと、作成されたジョブモデルに基づいて所要のデータを入力するためのデータエントリフォームを作成するステップと、データエントリフォームを含む電子メールメッセージを生成するステップと、電子メールメッセージを送信するステップと、所要のデータを含む電子メールメッセージを受信するステップと、受信された所要のデータをデータベースに送信するステップと、
を含むことを特徴とする。
【００２０】
データエントリフォームはデータの対話式入力を提供しても良い。データエントリフォームは、標準のまたはプロプライエタリーな文書言語、スクリプト言語、及びプログラミング言語のうちの少なくとも１つを使用して作成されても良い。データエントリフォームは、ＨＴＭＬ、ＸＭＬ、Ｊａｖａ、及びＪａｖａｓｃｒｉｐｔのうちの少なくとも１つを使用して作成されても良い。
【００２１】
データエントリフォームは、通信接続していない状態のデータエントリシステムにおいてデータの対話式入力を提供しても良い。データエントリフォームは、標準のまたはプロプライエタリーな文書言語、スクリプト言語、及びプログラミング言語のうちの少なくとも１つを使用して作成されても良い。データエントリフォームは、ＨＴＭＬ、ＸＭＬ、Ｊａｖａ、及びＪａｖａｓｃｒｉｐｔのうちの少なくとも１つを使用して作成されても良い。
【００２２】
データエントリフォーム作成ステップは、データ収集方法の参加者に対するデータセットにより定義される所要のデータを入力するためのデータエントリフォームを作成するステップを含んでも良い。データ収集方法の参加者選択ステップは、データ収集方法の複数の参加者を選択するステップを含んでも良い。データエントリフォーム作成ステップは、データ収集方法の各参加者に対するデータセットにより定義される所要のデータを入力するためのデータエントリフォームを作成するステップを含んでも良い。データエントリフォームを含む電子メールメッセージの生成ステップは、データ収集方法の各参加者に対してデータエントリフォームを含む電子メールメッセージを生成するステップを含んでも良い。電子メールメッセージ送信ステップは、データ収集方法の各参加者にデータエントリフォームを送信するステップを含んでも良い。所要のデータを含む電子メールメッセージの受信ステップは、データ収集方法の各参加者に対する所要のデータを含む電子メールメッセージを受信するステップを含んでも良い。
【００２３】
各データエントリフォームはデータの対話式入力を提供しても良い。各データエントリフォームは、標準のまたはプロプライエタリーな文書言語、スクリプト言語、及びプログラミング言語のうちの少なくとも１つを使用して作成されても良い。各データエントリフォームは、ＨＴＭＬ、ＸＭＬ、Ｊａｖａ、及びＪａｖａｓｃｒｉｐｔのうちの少なくとも１つを使用して作成されても良い。各データエントリフォームは、データエントリシステムが通信接続していない状態で、データエントリシステムにおいてデータの対話式入力を提供しても良い。各データエントリフォームは、標準のまたはプロプライエタリーな文書言語、スクリプト言語、及びプログラミング言語のうちの少なくとも１つを使用して作成されても良い。各データエントリフォームは、ＨＴＭＬ、ＸＭＬ、Ｊａｖａ、及びＪａｖａｓｃｒｉｐｔのうちの少なくとも１つを使用して作成されても良い。
【００２４】
本発明の一態様では、能力評価の作成のための方法は、組織内の地位に関連する資格及び技能を定義する複数の能力を含むジョブモデルを作成するステップと、評価対象の人員、評価者、及び評価日時を含む評価セットを選択するステップと、作成されたジョブモデルに基づいて所要のデータを入力するためのデータエントリフォームを作成するステップと、データエントリフォームを含む電子メールメッセージを生成するステップと、電子メールメッセージを送信するステップと、所要のデータを含む電子メールメッセージを受信するステップと、受信された所要のデータをデータベースに送信するステップと、
を含むことを特徴とする。
【００２５】
データエントリフォームはデータの対話式入力を提供しても良い。データエントリフォームは、標準のまたはプロプライエタリーな文書言語、スクリプト言語、及びプログラミング言語のうちの少なくとも１つを使用して作成されても良い。データエントリフォームは、ＨＴＭＬ、ＸＭＬ、Ｊａｖａ、及びＪａｖａｓｃｒｉｐｔのうちの少なくとも１つを使用して作成されても良い。
【００２６】
データエントリフォームは、通信接続していない状態のデータエントリシステムにおいてデータの対話式入力を提供しても良い。データエントリフォームは、標準のまたはプロプライエタリーな文書言語、スクリプト言語、及びプログラミング言語のうちの少なくとも１つを使用して作成されても良い。データエントリフォームは、ＨＴＭＬ、ＸＭＬ、Ｊａｖａ、及びＪａｖａｓｃｒｉｐｔのうちの少なくとも１つを使用して作成されても良い。
【００２７】
データエントリフォーム作成ステップは、データ収集方法の参加者に対するデータセットにより定義される所要のデータを入力するためのデータエントリフォームを作成するステップを含んでも良い。データ収集方法の参加者選択ステップは、データ収集方法の複数の参加者を選択するステップを含んでも良い。データエントリフォーム作成ステップは、データ収集方法の各参加者に対するデータセットにより定義される所要のデータを入力するためのデータエントリフォームを作成するステップを含んでも良い。データエントリフォームを含む電子メールメッセージの生成ステップは、データ収集方法の各参加者に対してデータエントリフォームを含む電子メールメッセージを生成するステップを含んでも良い。電子メールメッセージ送信ステップは、データ収集方法の各参加者にデータエントリフォームを送信するステップを含んでも良い。所要のデータを含む電子メールメッセージの受信ステップは、データ収集方法の各参加者に対する所要のデータを含む電子メールメッセージを受信するステップを含んでも良い。
【００２８】
各データエントリフォームはデータの対話式入力を提供しても良い。各データエントリフォームは、標準のまたはプロプライエタリーな文書言語、スクリプト言語、及びプログラミング言語のうちの少なくとも１つを使用して作成されても良い。各データエントリフォームは、ＨＴＭＬ、ＸＭＬ、Ｊａｖａ、及びＪａｖａｓｃｒｉｐｔのうちの少なくとも１つを使用して作成されても良い。各データエントリフォームは、データエントリシステムが通信接続していない状態で、データエントリシステムにおいてデータの対話式入力を提供しても良い。各データエントリフォームは、標準のまたはプロプライエタリーな文書言語、スクリプト言語、及びプログラミング言語のうちの少なくとも１つを使用して作成されても良い。各データエントリフォームは、ＨＴＭＬ、ＸＭＬ、Ｊａｖａ、及びＪａｖａｓｃｒｉｐｔのうちの少なくとも１つを使用して作成されても良い。
【００２９】
【発明の実施の形態】
本発明を実現できるシステム１００の例示のブロック図が図１に示される。システム１００は、データ処理システム１０２と、ネットワーク１０４と、オフラインデータエントリシステム１０６Ａ〜１０６Ｎのような複数のオフラインデータエントリシステムと、オンラインデータエントリシステム１０８Ａ〜１０８Ｍのような１つ以上のオンラインデータエントリシステムとを含む。データ処理システムは、通常、データ処理システム１０２上で実行される１つ以上のアプリケーションプログラムを使用してデータを受信・処理する１つ以上のコンピュータシステムである。データ処理システム１０２により処理されるデータは、種々のソースから得られても良い。例えば、データは他のデータ処理システムから自動で収集されても良い。しかし、データ処理システム１０２は、オフラインデータエントリシステム１０６Ａ〜１０６Ｎを使用して入力されたデータを取得する。データ処理システム１０２は、オンラインデータエントリシステム１０８Ａ〜１０８Ｍを使用して入力されたデータを取得しても良い。ネットワーク１０４は、インターネットのような公衆データ通信ネットワーク又は私設のイントラネットのような私設のデータ通信ネットワークなどの１つ以上の通信ネットワークを含む。
【００３０】
オンラインデータエントリシステム１０８Ａ〜１０８Ｍは、通常、オンラインデータエントリシステムが直接又はネットワーク１０４を介してデータ処理システム１０２に通信接続している状態で、データ処理システム１０２で実行中の１つ以上のアプリケーションへとデータを入力する機能をユーザに提供するコンピュータシステム又はコンピュータ端末である。オフラインデータエントリシステム１０６Ａ〜１０６Ｎは、通常、オフラインデータエントリシステムがデータ処理システム１０２に通信接続しているか否かに関わらず、データをオフラインデータエントリシステムへと入力する機能を提供するコンピュータシステムである。特に、データエントリフォーム１１０Ａのようなデータエントリフォームは、データ処理システム１０２からオフラインデータエントリシステム１０６Ａのようなオフラインデータエントリシステムへと送信されるが、電子メールメッセージ１１２に含まれて送信されるのが好ましい。データエントリフォームは、オフラインデータエントリシステムがデータ処理システム１０２に通信接続されているか否かに関わらず、オフラインデータエントリシステムのユーザにより随時記入されても良い。データエントリフォーム１１０Ａなどのデータエントリフォームの記入が終了すると、データがフォームから抽出される。データは任意の都合の良いときにデータ処理システム１０２に送信されても良い。抽出されたデータは、オフラインデータエントリシステム１０６Ａなどのオフラインデータエントリシステムからデータ処理システム１０２へと電子メールメッセージ１１４に含まれて送信されるのが好ましい。
【００３１】
図１に示すデータ処理システム２００の例示のブロック図を図２に示す。システム２００は、通常、パーソナルコンピュータ、ワークステーション、サーバシステム、及びミニコンピュータ又はメインフレームコンピュータなどのプログラムされた汎用のコンピュータシステムである。システム２００は、１つ以上のプロセッサ（ＣＰＵ）２０２Ａ〜３０２Ｎと、入出力回路２０４、ネットワークアダプタ２０６、及びメモリ２０８を含む。ＣＰＵ２０２Ａ〜３０２Ｎは本発明の各機能を実行するためにプログラム命令を実行する。通常、ＣＰＵ２０２Ａ〜２０２Ｎはインテルペンティアム（登録商標）プロセッサなどの１つ以上のマイクロプロセッサである。図２は、複数のプロセッサ２０２Ａ〜２０２Ｎがメモリ２０８、入出力回路２０４、及びネットワークアダプタ２０６などのシステムリソースを共有する単一のマルチプロセッサコンピュータシステムとしてシステム２００が実現される実施の形態を示す。しかし、本発明は、シングルプロセッサコンピュータシステム、マルチプロセッサコンピュータシステム、及びそれらの組み合わせのいずれであっても良い複数のネットワーク化コンピュータシステムとしてシステム２００が実現される実施の形態も考慮する。
【００３２】
入出力回路２０４は、システム２００へのデータの入力及びシステム２００からのデータの出力を行なう機能を提供する。例えば、入出力回路は、キーボード、マウス、タッチパッド、トラックボール、スキャナなどの入力装置、ビデオアダプタ、モニタ、プリンタなどの出力装置、及びモデムなどの入出力装置を含んでも良い。ネットワークアダプタ２０６は、システム２００をネットワーク１０４にインタフェースする。ネットワーク１０４は、イーサネット、トークンリング、インターネット、私設又は専用のＬＡＮ／ＷＡＮなどの１つ以上の標準的な構内通信網（ＬＡＮ）又は広域通信網（ＷＡＮ）を含んでも良い。
【００３３】
メモリ２０８は、システム２００の各機能を実行するためにＣＰＵ２０２Ａ〜２０２Ｎにより実行されるプログラム命令とＣＰＵ２０２Ａ〜２０２Ｎにより使用・処理されるデータとを格納する。メモリ２０８は、ランダムアクセスメモリ（ＲＡＭ）、読出し専用メモリ（ＲＯＭ）、プログラマブルＲＯＭ（ＰＲＯＭ）、電子的に消去可能なプログラマブルリードオンリメモリ（ＥＥＰＲＯＭ）、フラッシュメモリなどの電子メモリ素子と、インテグレイティッドドライブエレクトロニクス（ＩＤＥ）インタフェース又はエンハンストＩＤＥ（ＥＩＤＥ）又はウルトラダイレクトメモリアクセス（ＵＤＭＡ）などの変形又は拡張したインタフェースあるいはスモールコンピュータシステムインタフェース（ＳＣＳＩ）ベースのインタフェース又はファーストＳＣＳＩ、ワイドＳＣＳＩ、ファーストワイドＳＣＳＩ、ファイバチャネル調停ループ（ＦＣ−ＡＬ）インタフェースなどの変形又は拡張したインタフェースを使用するであろう磁気ディスクドライブ、テープドライブ、光学ディスクドライブなどの電気機械メモリとを含んでも良い。
【００３４】
メモリ２０８は、電子メールシステム２１０と、テンプレート２１２と、データエントリフォーム作成ルーチン２１４と、データベース２１６と、アプリケーション２１８と、オペレーティングシステム２２０とを含む。電子メールシステム２１０は、電子メール送受信機能を実現するソフトウェアを含む。この機能は、データエントリフォームを含む電子メールメッセージの生成、生成された電子メールメッセージの指定受信者への送信、及び記入済のデータエントリフォームを含む電子メールメッセージの受信を含む。テンプレート２１２は、生成されるデータエントリフォームのフォーマット、レイアウト、データフィールド、及びデザインを指定する情報を含む。テンプレートは、完全なデータエントリフォーム、データエントリフォームの一部、又は他のテンプレートの組み合わせ（まとめて完全なデータエントリフォームを作成）を指定しても良い。データエントリフォーム作成ルーチンは、データエントリフォームを設計中のユーザからの入力に基づいてデータエントリフォームを生成する。ユーザはデータエントリフォームを生成するのに使用する１つ以上のテンプレートを指定しても、及び／又は生成されるデータエントリフォームに対してその他のフォーマット、レイアウト、データフィールド、デザインを指定しても良い。
【００３５】
データベース管理システム（ＤＢＭＳ）２１６は、データエントリフォームを使用して収集されるデータを格納、編成、抽出する機能を提供する。技術的な観点から見て、ＤＢＭＳには様々な種類がある。関係型、ネットワーク、単層、及び階層型という用語は、すべてＤＢＭＳが内部的に情報を編成する方法を指し示すものである。内部編成は、情報の抽出をどの程度迅速且つ柔軟に行なうことができるかに影響する可能性がある。
【００３６】
データベースは、コンピュータソフトウェアが所望のデータを選択・取得することができるように編成された情報の集合を含む。伝統的なデータベースは、フィールド、レコード、及びファイルにより編成される。フィールドは１つの情報であり、レコードはフィールド一式であり、ファイルはレコードの集合である。データベース設計における別の概念は、ハイパーテキストとして知られている。ハイパーテキストデータベースでは、テキスト、画像、及びフィルムのいずれであるかに関わらず、任意のオブジェクトを他の任意のオブジェクトにリンクさせることができる。ハイパーテキストデータベースは、大量の異種の情報を編成するのに特に有用であるが、数値的な分析用に設計されてはいない。
【００３７】
通常、ＤＢＭＳはデータのみならず、データベースへのアクセスを実行し、データを格納又は取得する低レベルデータベース管理機能を含む。この機能は、通常、問合せと呼ばれ、ＳＱＬ（ｓｔｒｕｃｔｕｒｅｄ ｑｕｅｒｙ ｌａｎｇｕａｇｅ）などのデータベース問合せ言語を使用することによって実行される。ＳＱＬはデータベースに情報を要求する標準の問合せ言語である。歴史的に見て、ＳＱＬはミニコンピュータ及びメインフレーム上で実行されるデータベース管理システム用の問合せ言語として普及している。しかし、ＳＱＬは分散形データベース（複数のコンピュータシステムにわたって分散しているデータベース）をサポートするため、パーソナルコンピュータデータベースシステムはＳＱＬを徐々にサポートしつつある。これにより、構内通信網上の複数のユーザは同じデータベースに同時にアクセスすることができる。
【００３８】
大半のフルスケールのデータベースは、関係型データベースシステムである。小規模なデータベースシステムは、問合せを行なう際に柔軟性の低い他の設計を使用する。データがどのように関連付けられているか、あるいは、データがどのようにデータベースから抽出されるかに関する仮定をほとんど必要としないため、関係型データベースは強力である。従って、同じデータベースを多様な方法で見ることができる。関係型システムの重要な特徴は、単一のデータベースを複数のテーブルに展開することができる点である。これは、各データベースが単一のテーブルにおいて自立しているフラットファイルデータベースとは異なる。
【００３９】
アプリケーション２１８は、業務処理又はその他のデータ処理機能を実現する種々のソフトウェアプログラムを含む。例えば、アプリケーション２１８は、能力評価、プロジェクト参加者の選択、プロジェクト人員配置選択、参加者の能力の優先順位付けなどの業務処理を実現するアプリケーションを含んでも良い。
【００４０】
オペレーティングシステム２２８は、全体的なシステム機能を提供する。
【００４１】
図２に示すように、本発明は、シングルプロセッサコンピューティング、単一スレッドコンピューティングのみを提供する複数のシステムでの実現のみならず、マルチプロセッサコンピューティング、マルチタスクコンピューティング、マルチ方法コンピューティング、及び／又はマルチスレッドコンピューティングを提供する１つ以上のシステムでの実現を考慮する。マルチプロセッサコンピューティングは、２つ以上のプロセッサを使用してコンピューティングを実行することを意味する。マルチタスクコンピューティングは、２つ以上のオペレーティングシステムタスクを使用してコンピューティングを実行することを意味する。タスクはオペレーティングシステムの概念であり、実行されるプログラムとオペレーティングシステムが使用するブックキーピング情報との組み合わせを指す。プログラムが実行されるたびに、オペレーティングシステムはプログラムに対する新規のタスクを作成する。タスク番号でプログラムを識別し、その他のブックキーピング情報を添付するという点において、タスクはプログラム用の封筒のようなものである。ＵＮＩＸ（登録商標）、ＯＳ／２（登録商標）、及びＷＩＮＤＯＷＳ（登録商標）を含む多くのオペレーティングシステムは、多数のタスクを同時に実行することができ、マルチタスクオペレーティングシステムと呼ばれる。マルチタスキングは、オペレーティングシステムが２つ以上の実行形式ファイルを同時に実行する機能である。各実行形式ファイルは、独自のアドレス空間において実行されており、これは、各実行形式ファイルにはメモリを共有する方法がないことを意味する。マルチタスキングには、いかなるプログラムであってもシステム上で実行中の他のプログラムの実行に害を及ぼすことができないという利点がある。しかし、各プログラムには、オペレーティングシステムを介する（あるいは、ファイルシステム上に格納されるファイルを読む）場合を除いては、情報を交換する方法がない。一部のオペレーティングシステムではタスク及び方法という用語を区別するものの、これらの用語は同じ意味で用いられることが多く、マルチ方法コンピューティングはマルチタスクコンピューティングに類似している。
【００４２】
本発明が実現されるであろう例示のオフラインデータエントリシステム１０６のブロック図が図３に示される。オフラインデータエントリシステム１０６は、通常、パーソナルコンピュータ、ワークステーション、サーバシステム、及びミニコンピュータ又はメインフレームコンピュータなどのプログラムされた汎用コンピュータシステムである。オフラインデータエントリシステム１０６は、プロセッサ（ＣＰＵ）３０２、入出力回路３０４、ネットワークアダプタ３０６、及びメモリ３０８を含む。ＣＰＵ３０２は、本発明の各機能を実行するためにプログラム命令を実行する。通常、ＣＰＵ３０２はインテルペンティアム（登録商標）プロセッサなどのマイクロプロセッサであるが、ミニコンピュータ又はメインフレームコンピュータのプロセッサであっても良い。図３に示す例では、コンピュータシステム３００はシングルプロセッサコンピュータシステムであるが、本発明は、シングルプロセッサコンピューティング、単一スレッドコンピューティングのみを提供する複数のシステムでの実現のみならず、マルチプロセッサ、マルチタスク、マルチ方法、マルチスレッドコンピューティング、分散形コンピューティング、及び／又はネットワーク化コンピューティングを提供する１つ以上のシステムでの実現を考慮する。同様に、本発明は、シングルプロセッサコンピュータシステム、マルチプロセッサコンピュータシステム、及びそれらの組み合わせのいずれであっても良い複数のネットワーク化コンピュータシステムでコンピュータシステム３００が実現される分散形の実現を利用する実施の形態も考慮する。
【００４３】
入出力回路３０４は、コンピュータシステム３００へのデータの入力及びコンピュータシステム３００からのデータの出力を行なう機能を提供する。例えば、入出力回路は、キーボード、マウス、タッチパッド、トラックボール、スキャナなどの入力装置、ビデオアダプタ、モニタ、プリンタなどの出力装置、及びモデムなどの入出力装置を含んでも良い。ネットワークアダプタ３０６は、コンピュータシステム３００をネットワーク１０４にインタフェースする。ネットワーク１０４は、イーサネット、トークンリング、インターネット、あるいは私設又は専用のＬＡＮ／ＷＡＮなどの標準的な構内通信網（ＬＡＮ）又は広域通信網（ＷＡＮ）であっても良い。ネットワークアダプタ３０６とネットワーク１０４との間の接続は必ずしも連続的なものでなくても良い。特に、オフラインデータエントリシステム１０６は、システム１０６とネットワーク１０４との間に通信接続がないときはオフラインである。例えば、システム１０６は、ネットワーク１０４にログオンされていないことも、ネットワーク１０４に物理的に接続されてさえいないこともある。
【００４４】
メモリ３０８は、本発明の各機能を実行するためにＣＰＵ３０２により実行されるプログラム命令とＣＰＵ３０２により使用・処理されるデータとを格納する。メモリ３０８は、ランダムアクセスメモリ（ＲＡＭ）、読出し専用メモリ（ＲＯＭ）、プログラマブルＲＯＭ（ＰＲＯＭ）、電子的に消去可能なプログラマブルリードオンリメモリ（ＥＥＰＲＯＭ）、フラッシュメモリなどの電子メモリ素子と、インテグレイティッドドライブエレクトロニクス（ＩＤＥ）インタフェース又は拡張ＩＤＥ（ＥＩＤＥ）又はウルトラダイレクトメモリアクセス（ＵＤＭＡ）などの変形又は拡張したインタフェースあるいはスモールコンピュータシステムインタフェース（ＳＣＳＩ）ベースのインタフェース又はファーストＳＣＳＩ、ワイドＳＣＳＩ、ファーストワイドＳＣＳＩ、ファイバチャネル調停ループ（ＦＣ−ＡＬ）インタフェースなどの変形又は拡張したインタフェースを使用するであろう磁気ディスクドライブ、テープドライブ、光学ディスクドライブなどの電気機械メモリとを含んでも良い。
【００４５】
メモリ３０８は、ブラウザプログラム３１０と、データエントリフォーム３１２と、電子メールプログラム３１４と、オペレーティングシステム３１６とを含む。ブラウザ３１０は、ウェブ及びその他のインタラクティブなページ及び文書の位置を検出・表示するのに使用されるソフトウェアアプリケーションである。ブラウザ３１０は、テキスト及び音声・映像を含む現在のマルチメディア情報のみならずグラフィックスも表示することができるグラフィカルブラウザである。ブラウザ３１０に適したプログラムの例としては、ネットスケープナビゲータ（登録商標）及びマイクロソフトインターネットエクスプローラ（登録商標）がある。ブラウザ３１０は、通常、ハイパーテキストマークアップ言語（ＨＴＭＬ）を使用するページ又は文書を表示するが、適切に構成される場合には、任意の標準文書言語又は著作権のある文書言語、スクリプト言語、又はプログラミング言語を使用してページ又は文書を表示しても良い。例えば、ブラウザ３１０は、拡張マークアップ言語（ＸＭＬ）コード、ＪＡＶＡ（登録商標）コード、又はＪＡＶＡＳＣＲＩＰＴ（登録商標）コードを含むページ又は文書を表示しても良い。このようなスクリプト言語及びプログラミング言語は、高度なインタラクティブ機能及び高度な処理機能を含むページ又は文書を作成する機能を提供する。
【００４６】
データエントリフォーム３１２は、データをデータエントリフォームに入力する人員と対話する機能を提供するブラウザ３１０により表示されるページ又は文書を含む。データエントリフォームは、ブラウザ３１０と互換性のある任意の標準文書言語又は著作権のある文書言語、スクリプト言語、又はプログラミング言語を使用して作成されても良い。例えば、データエントリフォーム３１２は、ＨＴＭＬコード又はＸＭＬコードを使用して作成されても良いが、ＪＡＶＡ（登録商標）又はＪＡＶＡＳＣＲＩＰＴ（登録商標）は高度なインタラクティブ機能及び高度な処理機能のための機能を提供するので、これらのコードの方が好ましい。
【００４７】
電子メールプログラム３１４は、電子メール送受信機能を実現するソフトウェアを含む。この機能は、データエントリフォームを含む電子メールメッセージの受信、受信されたデータエントリフォームの格納又はファイリング、及びデータエントリフォームに入力された編集済データの送信を含む。
【００４８】
オペレーティングシステム３１６は、全体的なシステム機能を提供する。
【００４９】
データ収集方法４００の例示のフローチャートが図４に示される。方法４００はステップ４０２で開始する。ステップ４０２において、データセットが作成される。データセットを作成するために、ユーザはどの種類のデータを収集すべきかを判定する。ユーザは、実行を希望するプロジェクトに必要なデータに対応する定義済のデータセットを選択するのが好ましい。例えば、定義済のデータセットは、能力評価、人員配置アプリケーション、ジョブモデルなどに対して利用可能であっても良い。ユーザは、定義済のデータセットを変更し、特定の用途向けにカスタマイズしても良い。必要に応じて、ユーザはカスタムデータセットを作成しても良い。
【００５０】
ステップ４０４において、ユーザはデータ収集プロジェクトの参加者を選択する。参加者は、データエントリフォームを受信・記入する個人である。このステップは、事前定義又は個人間の関係を指定するデータを使用して自動的に実行されるのが好ましい。例えば、能力評価アプリケーションでは、能力評価が実行されるべき特定のポジションが指定され次第、能力評価への入力が必要な個人が自動的に判定されても良い。そうでない場合には、参加者の一部又は全員がユーザにより指定される必要がある。
【００５１】
ステップ４０６において、選択・定義されたデータセットを組み込むデータエントリフォームが選択された参加者に対して作成される。データエントリフォームは、参加者が要求されるデータを入力する機能を提供するページ又は文書である。参加者が幾つかの選択肢から選択するだけで良いデータもあれば、予め記入されているが参加者が変更することもできるデータもある。その他のデータは参加者が全面的に入力しなければならない。加えて、多くの場合、各参加者に対するデータエントリフォームは同種又は同一のものであるが、そうでない場合、各参加者に対するデータエントリフォームはその参加者用にカスタマイズされる必要がある。
【００５２】
データエントリフォームは、電子メールメッセージとしてカプセル化される。データエントリフォームの宛先は選択された参加者である。これらのメッセージは電子メールシステムに送信され、参加者への送信のために待ち行列に入れられる。
【００５３】
ステップ４０８において、電子メールメッセージは、参加者により使用されるデータエントリシステムに配信される。データエントリフォームが電子メールメッセージから抽出され、通常、ブラウザプログラムを使用して各参加者に対して表示される。各メッセージは、指示用のカバーページと評価者が記入するデータエントリフォームを含んでも良い。
【００５４】
ステップ４１０において、参加者は要求されたデータをデータエントリフォームに入力する。データエントリフォームは、参加者の都合に応じて記入することができる。データエントリフォームは、オンライン及びオフラインのいずれで記入されても良い。データエントリフォームを記入するには、インターネットなどのネットワークに接続されたオンライン状態である必要はない。
【００５５】
ステップ４１２において、結果データがデータ処理システムへと送信される。参加者は、データエントリフォームの記入を終了すると、好ましくは電子メールメッセージとして、結果データをデータ処理システムへと送信する。この電子メールメッセージはデータエントリフォームにより自動的に生成される。結果データは、参加者がデータエントリフォームに入力した生データを含んでも良い。また、結果データは、参加者がデータエントリフォームに入力したデータに基づいてデータエントリフォームにより生成された処理済データを含んでも良い。
【００５６】
ステップ４１４において、データ処理システムは結果データを受信・処理する。データ処理システムの電子メールシステムは、新規の電子メールメッセージが到着したか否かを判定するために、繰り返しポーリングを実行する。電子メールメッセージが到着すると、メッセージの有効性がチェックされ、結果データが抽出される。必要に応じて結果データが処理され、データベースへと送信される。データベースへと送信されると、許可されたユーザは結果データを利用することができる。
【００５７】
データ収集方法５００の例示のフローチャートが図５に示される。方法５００は、方法４００を具体化したものであり、ジョブモデルにより定義されるポジションに関連付けられる能力の記述の共同作成に関する。方法５００はステップ５０２で開始する。ステップ５０２において、人員の一覧が作成される。人員一覧を作成するために、潜在的な参加者に関連する情報と有効なジョブモデルがユーザに対して表示される。
【００５８】
ステップ５０４において、ユーザは、プロジェクトのチームメンバーであり、データエントリフォームを受信・記入することになる参加者を選択する。また、ユーザは、能力データが収集されるポジションを定義するジョブモデルを選択する。
【００５９】
ステップ５０６において、選択・定義されたジョブモデルを組み込むデータエントリフォームが選択された参加者に対して作成される。データエントリフォームは、参加者が要求されるデータを入力する機能を提供するページ又は文書である。参加者が幾つかの選択肢から選択するだけで良いデータもあれば、予め記入されているが参加者が変更することもできるデータもある。その他のデータは参加者が全面的に入力しなければならない。加えて、多くの場合、各参加者に対するデータエントリフォームは同種又は同一のものであるが、そうでない場合、各参加者に対するデータエントリフォームはその参加者用にカスタマイズされる必要がある。
【００６０】
データエントリフォームは、電子メールメッセージとしてカプセル化される。データエントリフォームの宛先は選択された参加者である。これらのメッセージは電子メールシステムに送信され、参加者への送信のために待ち行列に入れられる。
【００６１】
ステップ５０８において、電子メールメッセージは、参加者により使用されるデータエントリシステムに配信される。データエントリフォームが電子メールメッセージから抽出され、通常、ブラウザプログラムを使用して各参加者に対して表示される。各メッセージは、指示用のカバーページと評価者が記入するデータエントリフォームを含んでも良い。
【００６２】
ステップ５１０において、参加者は要求されたデータをデータエントリフォームに入力する。データエントリフォームは、参加者の都合に応じて記入することができる。データエントリフォームは、オンライン及びオフラインのいずれで記入されても良い。データエントリフォームを記入するには、インターネットなどのネットワークに接続されたオンライン状態である必要はない。特に、参加者は、資格及び技能などの能力に関連し、選択されたジョブモデルにより定義されるポジションにとって必要とされる又は望ましい情報を入力する。
【００６３】
ステップ５１２において、結果データがデータ処理システムへと送信される。参加者は、データエントリフォームの記入を終了すると、好ましくは電子メールメッセージとして、結果データをデータ処理システムへと送信する。この電子メールメッセージはデータエントリフォームにより自動的に生成される。結果データは、参加者がデータエントリフォームに入力した生データを含んでも良い。また、結果データは、参加者がデータエントリフォームに入力したデータに基づいてデータエントリフォームにより生成された処理済データを含んでも良い。
【００６４】
ステップ５１４において、データ処理システムは結果データを受信・処理する。データ処理システムの電子メールシステムは、新規の電子メールメッセージが到着したか否かを判定するために、繰り返しポーリングを実行する。電子メールメッセージが到着すると、メッセージの有効性がチェックされ、結果データが抽出される。必要に応じて結果データが処理され、データベースへと送信される。データベースへと送信されると、許可されたユーザは結果データを利用することができる。加えて、受信された結果は、選択されたジョブモデルにより定義されるポジションに関連付けられる各能力に動的に重みを割り当てるのに使用されても良い。
【００６５】
データ収集方法６００の例示のフローチャートが図６に示される。方法６００は、方法４００を具体化したものであり、ジョブ志願者面接評価の作成に関する。方法６００はステップ６０２で開始する。ステップ６０２において、ジョブモデルが作成される。ジョブモデルは、組織内のポジションに関連付けられる所要且つ所望の資格及び技能を定義する能力の集合である。ジョブモデルを作成するために、ユーザはそのポジションに関連する能力を判定する。これにより、志願者の面接時に収集されるべきデータの種類が判定される。ユーザは、ポジションに対応する定義済のジョブモデルを選択するのが好ましい。例えば、経営側のポジション、個々の貢献者などは、定義済のジョブモデルを利用可能である。ユーザは、定義済のジョブモデルを変更し、特定の用途向けにカスタマイズしても良い。必要に応じて、ユーザはカスタムジョブモデルを作成しても良い。
【００６６】
ステップ６０４において、ユーザは、面接の参加者を含む評価セットを選択する。特に、評価セットは、面接対象のポジションに対する志願者、志願者との面接を実行し、データを入力する評価者、及び志願者と評価者の各面接の日時を含む。
【００６７】
ステップ６０６において、選択・定義されたデータセットを組み込むデータエントリフォームが選択された評価者に対して作成される。データエントリフォームは、評価者が要求されるデータを入力する機能を提供するページ又は文書である。必要な情報は関連するデータベースから抽出され、結合されてデータエントリフォームが生成される。評価者が幾つかの選択肢から選択するだけで良いデータもあれば、予め記入されているが評価者が変更することもできるデータもある。その他のデータは評価者が全面的に入力しなければならない。加えて、多くの場合、各評価者に対するデータエントリフォームは同種又は同一のものであるが、そうでない場合、各評価者に対するデータエントリフォームはその評価者用にカスタマイズされる必要がある。
【００６８】
データエントリフォームは、電子メールメッセージとしてカプセル化される。データエントリフォームの宛先は選択された評価者である。これらのメッセージは電子メールシステムに送信され、評価者への送信のために待ち行列に入れられる。定義済の面接日時は、「送信」日時として、データエントリフォームが評価者に送信される日時を制御するのに使用される。
【００６９】
ステップ６０８において、電子メールメッセージは、評価者により使用されるデータエントリシステムに配信される。データエントリフォームが電子メールメッセージから抽出され、通常、ブラウザプログラムを使用して各評価者に対して表示される。各評価者は、指定の志願者に対する面接データを入力すべき時期であることを示すメッセージを受信することになる。各メッセージは、指示用のカバーページと評価者が記入するデータエントリフォームを含んでも良い。
【００７０】
ステップ６１０において、評価者は要求されたデータをデータエントリフォームに入力する。データエントリフォームは、評価者の都合に応じて記入することができる。データエントリフォームは、オンライン及びオフラインのいずれで記入されても良い。データエントリフォームを記入するには、インターネットなどのネットワークに接続されたオンライン状態である必要はない。
【００７１】
ステップ６１２において、結果データがデータ処理システムへと送信される。評価者は、データエントリフォームの記入を終了すると、好ましくは電子メールメッセージとして、結果データをデータ処理システムへと送信する。この電子メールメッセージはデータエントリフォームにより自動的に生成される。結果データは、評価者がデータエントリフォームに入力した生データを含んでも良い。また、結果データは、評価者がデータエントリフォームに入力したデータに基づいてデータエントリフォームにより生成された処理済データを含んでも良い。
【００７２】
ステップ６１４において、データ処理システムは結果データを受信・処理する。データ処理システムの電子メールシステムは、新規の電子メールメッセージが到着したか否かを判定するために、繰り返しポーリングを実行する。電子メールメッセージが到着すると、メッセージの有効性がチェックされ、結果データが抽出される。必要に応じて結果データが処理され、その方法を開始したデータベースへと送信される。データベースへと送信されると、許可されたユーザは結果データを利用することができる。
【００７３】
データ収集方法７００の例示のフローチャートが図７に示される。方法７００は、方法４００を具体化したものであり、能力評価の作成に関する。方法７００はステップ７０２で開始する。ステップ７０２において、ジョブモデルが作成される。ジョブモデルは、組織内のポジションに関連付けられる所要且つ所望の資格及び技能を定義する能力の集合である。ジョブモデルを作成するために、ユーザはそのポジションに関連する能力を判定する。これにより、評価時に収集されるべきデータの種類が判定される。ユーザは、ポジションに対応する定義済のジョブモデルを選択するのが好ましい。例えば、経営側のポジション、個々の貢献者などは、定義済のジョブモデルを利用可能である。ユーザは、定義済のジョブモデルを変更し、特定の用途向けにカスタマイズしても良い。必要に応じて、ユーザはカスタムジョブモデルを作成しても良い。
【００７４】
ステップ７０４において、ユーザは、評価の参加者を含む評価セットを選択する。特に、評価セットは、評価対象の人員、その人員の評価を実行し、データを入力する評価者、及び各評価の日時を含む。
【００７５】
ステップ７０６において、選択・定義されたデータセットを組み込むデータエントリフォームが選択された評価者に対して作成される。データエントリフォームは、評価者が要求されるデータを入力する機能を提供するページ又は文書である。必要な情報は関連するデータベースから抽出され、結合されてデータエントリフォームが生成される。評価者が幾つかの選択肢から選択するだけで良いデータもあれば、予め記入されているが評価者が変更することもできるデータもある。その他のデータは評価者が全面的に入力しなければならない。加えて、多くの場合、各評価者に対するデータエントリフォームは同種又は同一のものであるが、そうでない場合、各評価者に対するデータエントリフォームはその評価者用にカスタマイズされる必要がある。
【００７６】
データエントリフォームは、電子メールメッセージとしてカプセル化される。データエントリフォームの宛先は選択された評価者である。これらのメッセージは電子メールシステムに送信され、評価者への送信のために待ち行列に入れられる。
【００７７】
ステップ７０８において、電子メールメッセージは、評価者により使用されるデータエントリシステムに配信される。データエントリフォームが電子メールメッセージから抽出され、通常、ブラウザプログラムを使用して各評価者に対して表示される。各評価者は、指定の人員に対する評価データを入力すべき時期であることを示すメッセージを受信することになる。各メッセージは、指示用のカバーページと評価者が記入するデータエントリフォームを含んでも良い。
【００７８】
ステップ７１０において、評価者は要求されたデータをデータエントリフォームに入力する。データエントリフォームは、評価者の都合に応じて記入することができる。データエントリフォームは、オンライン及びオフラインのいずれで記入されても良い。データエントリフォームを記入するには、インターネットなどのネットワークに接続されたオンライン状態である必要はない。
【００７９】
ステップ７１２において、結果データがデータ処理システムへと送信される。評価者は、データエントリフォームの記入を終了すると、好ましくは電子メールメッセージとして、結果データをデータ処理システムへと送信する。この電子メールメッセージはデータエントリフォームにより自動的に生成される。結果データは、評価者がデータエントリフォームに入力した生データを含んでも良い。また、結果データは、評価者がデータエントリフォームに入力したデータに基づいてデータエントリフォームにより生成された処理済データを含んでも良い。
【００８０】
ステップ７１４において、データ処理システムは結果データを受信・処理する。データ処理システムの電子メールシステムは、新規の電子メールメッセージが到着したか否かを判定するために、繰り返しポーリングを実行する。電子メールメッセージが到着すると、メッセージの有効性がチェックされ、結果データが抽出される。必要に応じて結果データが処理され、その方法を開始したデータベースへと送信される。データベースへと送信されると、許可されたユーザは結果データを利用することができる。本発明は、フル機能のデータ処理システムを背景として説明したが、当業者は本発明の方法が各命令を含むコンピュータ可読な媒体の形態及び種々の形態で配布可能であり、配布を実行する際に実際に使用される信号保持媒体の種類に関わらず、本発明が等しく適用されることを認識するであろうことに留意することは重要である。コンピュータ可読な媒体の例としては、デジタル通信リンク及びアナログ通信リンクなどの伝送型媒体のみならず、フロッピーディスク、ハードディスクドライブ、ＲＡＭ、及びＣＤ−ＲＯＭなどの追記型媒体が含まれる。
【００８１】
本発明の特定の実施の形態を説明したが、説明した各実施の形態と同等の他の実施の形態もあることを当業者は理解するであろう。従って、本発明は、これらの特定の実施の形態によって限定されるのではなく、添付の請求の範囲の趣旨によってのみ限定されることが理解されるべきである。
【図面の簡単な説明】
【図１】
本発明を実現しうるシステムの例示のブロック図である。
【図２】
図１に示すデータ処理システムの例示のブロック図である。
【図３】
本発明が実現されるであろう例示のオフラインデータエントリシステムのブロック図である。
【図４】
本発明によるデータ収集方法の一実施の形態の例示のフローチャートである。
【図５】
本発明によるデータ収集方法の一実施の形態の例示のフローチャートである。
【図６】
本発明によるデータ収集方法の一実施の形態の例示のフローチャートである。
【図７】
本発明によるデータ収集方法の一実施の形態の例示のフローチャートである。
【図１】
2004534982.tif 000003
【図２】
2004534982.tif 000004
【図３】
2004534982.tif 000005
【図４】
2004534982.tif 000006
【図５】
2004534982.tif 000007
【図６】
2004534982.tif 000008
【図７】
2004534982.tif 000009
【国際公開パンフレット】
2004534982.tif 000010
2004534982.tif 000011
2004534982.tif 000012
2004534982.tif 000013
2004534982.tif 000014
2004534982.tif 000015
2004534982.tif 000016
2004534982.tif 000017
2004534982.tif 000018
2004534982.tif 000019
2004534982.tif 000020
2004534982.tif 000021
2004534982.tif 000022
2004534982.tif 000023
2004534982.tif 000024
2004534982.tif 000025
2004534982.tif 000026
2004534982.tif 000027
2004534982.tif 000028
2004534982.tif 000029
2004534982.tif 000030
2004534982.tif 000031
2004534982.tif 000032
2004534982.tif 000033
2004534982.tif 000034
2004534982.tif 000035
2004534982.tif 000036
2004534982.tif 000037
2004534982.tif 000038
2004534982.tif 000039
2004534982.tif 000040
2004534982.tif 000041
2004534982.tif 000042
2004534982.tif 000043
2004534982.tif 000044
2004534982.tif 000045
2004534982.tif 000046
2004534982.tif 000047
2004534982.tif 000048
2004534982.tif 000049
2004534982.tif 000050
2004534982.tif 000051
2004534982.tif 000052
2004534982.tif 000053
2004534982.tif 000054
2004534982.tif 000055
2004534982.tif 000056
2004534982.tif 000057
2004534982.tif 000058
2004534982.tif 000059
2004534982.tif 000060
2004534982.tif 000061
2004534982.tif 000062
2004534982.tif 000063
2004534982.tif 000064
2004534982.tif 000065
2004534982.tif 000066
2004534982.tif 000067
2004534982.tif 000068
2004534982.tif 000069
2004534982.tif 000070
2004534982.tif 000071
2004534982.tif 000072
2004534982.tif 000073
2004534982.tif 000074
2004534982.tif 000075
2004534982.tif 000076
2004534982.tif 000077
2004534982.tif 000078
2004534982.tif 000079
2004534982.tif 000080
2004534982.tif 000081
2004534982.tif 000082
2004534982.tif 000083
2004534982.tif 000084
2004534982.tif 000085
2004534982.tif 000086
【国際公開パンフレット（コレクトバージョン）】
2004534982.tif 000087
2004534982.tif 000088
【国際調査報告】
2004534982.tif 000089